【手続補正書】
【提出日】令和3年4月6日(2021.4.6)
【手続補正１】
【補正対象書類名】明細書
【補正対象項目名】全文
【補正方法】変更
【補正の内容】
【発明の詳細な説明】
【発明の名称】キャリア選択方法及び通信装置
【技術分野】
【０００１】
本願の実施例は無線通信分野に関し、且つより具体的に、キャリア選択方法及び通信装置に関する。
【背景技術】
【０００２】
車車間・路車間（Ｖ２Ｘ：Ｖｅｈｉｃｌｅ  ｔｏ  Ｅｖｅｒｙｔｈｉｎｇ）通信システムとも称される車のネットワークシステムは端末間（Ｄ２Ｄ：Ｄｅｖｉｃｅ  ｔｏ  Ｄｅｖｉｃｅ）通信に基づくサイドリンク（ＳＬ：Ｓｉｄｅｌｉｎｋ）伝送技術であり、従来のロングタームエボリューション（ＬＴＥ：Ｌｏｎｇ  Ｔｅｒｍ  Ｅｖｏｌｕｔｉｏｎ）システムにおける基地局によりデータを受信又は送信する方式と異なり、車のネットワークシステムは端末間直接通信を用いるため、より高いスペクトル効率及びより低い伝送遅延を有する。
【０００３】
マルチキャリア伝送をサポートする車のネットワークシステムにおいて、端末装置は候補の複数のキャリアのうちの１つ又は複数のキャリアを使用して現在のデータ伝送を行うことができる。従って、端末装置又は基地局がどのようにキャリア選択を行うかは早急な解決の待たれる問題となる。
【発明の概要】
【発明が解決しようとする課題】
【０００４】
本願の実施例はキャリア選択方法及び通信装置を提供し、該通信装置はキャリア選択を効果的に行うとともに、システムの安定性を維持することができる。
【課題を解決するための手段】
【０００５】
第１態様に係るキャリア選択方法であって、候補の複数のキャリアのチャネル占有率（ＣＢＲ）を取得することと、前記複数のキャリアのＣＢＲをフィルタリング処理して、フィルタリング後の前記複数のキャリアのＣＢＲを取得することと、フィルタリング後の前記複数のキャリアのＣＢＲに基づき、前記複数のキャリアからキャリア選択を行うことと、を含む。
【０００６】
従って、複数のキャリアのＣＢＲの測定結果をフィルタリング処理して、フィルタリング処理後の該複数のキャリアのＣＢＲに基づき、該複数のキャリアからキャリア選択を行い、それによりキャリア選択を実現するとともに、キャリアの切り替え頻度を低減し、システムの安定性を確保する。
【０００７】
可能な実現方式では、前記複数のキャリアのＣＢＲをフィルタリング処理することは前記複数のキャリアのＣＢＲに対して平滑化フィルタリングを行うことを含む。
【０００８】
可能な実現方式では、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、
ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０００９】
可能な実現方式では、前記方法は、更に、フィルタリング後の第１キャリアのＣＢＲが第３閾値を超えるかどうかを判定し、前記第１キャリアが現在データ伝送に使用されるキャリアであることを含み、
フィルタリング後の前記複数のキャリアのＣＢＲに基づき、前記複数のキャリアからキャリア選択を行うことは、フィルタリング後の前記第１キャリアのＣＢＲが前記第３閾値を超える場合、フィルタリング後の前記複数のキャリアのＣＢＲに基づき、前記複数のキャリアからキャリア選択を行うことを含む。
【００１０】
可能な実現方式では、前記複数のキャリアが前記第１キャリアを含む。
【００１１】
可能な実現方式では、前記複数のキャリアが前記第１キャリアを含まない。
【００１２】
可能な実現方式では、前記方法は、更に、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることを含み、
フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことを含む。
【００１３】
該実施例では、現在のキャリアと他のキャリアとのＣＢＲの差に基づいてキャリア選択を行うかどうかを判断して、ＣＢＲの差が条件を満足する場合、フィルタリング処理後のＣＢＲに基づいてキャリア選択を行い、それにより更にキャリアの切り替え頻度を低減し、システムの安定性を確保する。
【００１４】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、ＣＢＲと第１キャリアのＣＢＲとの差が第１閾値を超えるキャリアから、１つのキャリアを使用しようとするキャリアとして選択することを含む。
【００１５】
可能な実現方式では、前記方法が端末装置により実行され、前記方法は、更に、前記端末装置が前記端末装置に予め設定された前記第１閾値を取得し、又は、前記端末装置がネットワーク装置から送信された、前記第１閾値を含む設定情報を受信することを含む。
【００１６】
可能な実現方式では、前記方法がネットワーク装置により実行され、前記方法は、更に、前記ネットワーク装置が前記第１閾値を含む設定情報を端末装置に送信することを含む。
【００１７】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも所定時間長で持続するとした場合、前記複数のキャリアのＣＢＲに基づき、前記複数のキャリアからキャリア選択を行うことを含む。
【００１８】
可能な実現方式では、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【００１９】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値より大きい場合、前記複数のキャリアのＣＢＲに基づき、前記複数のキャリアからキャリア選択を行うことを含む。
【００２０】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことを含む。
【００２１】
可能な実現方式では、前記方法は、更に、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることを含み、
フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することを含む。
【００２２】
可能な実現方式では、フィルタリング後の前記複数のキャリアのＣＢＲに基づき、前記複数のキャリアからキャリア選択を行うことは、リソース再選択カウンター（Ｃ＿ｒｅｓｅｌ）の値が０に等しい場合、フィルタリング後の前記複数のキャリアのＣＢＲに基づき、前記複数のキャリアからキャリア選択を行うことを含む。
【００２３】
該実施例では、キャリア選択過程はＰｒｏｂＲｅｓｏｕｒｃｅＫｅｅｐパラメータに依存せず、リソース再選択カウンター（Ｃ＿ｒｅｓｅｌ）に基づいて現在キャリア選択を行う必要があるかどうかを判定して、キャリア選択を行う必要がある場合、フィルタリング処理後のＣＢＲに基づいてキャリア選択を行うものであり、これにより、キャリアの切り替え頻度を低減し、システムの安定性を確保する。
【００２４】
可能な実現方式では、前記複数のキャリアのうちの各キャリアには１つの対応するＣ＿ｒｅｓｅｌが設定され、Ｃ＿ｒｅｓｅｌの値が０に等しい場合、フィルタリング後の前記複数のキャリアのＣＢＲに基づき、前記複数のキャリアからキャリア選択を行うことは、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記複数のキャリアのＣＢＲに基づき、前記複数のキャリアからキャリア選択を行うことを含む。
【００２５】
可能な実現方式では、前記複数のキャリアに同じＣ＿ｒｅｓｅｌが設定され、Ｃ＿ｒｅｓｅｌの値が０に等しい場合、フィルタリング後の前記複数のキャリアのＣＢＲに基づき、前記複数のキャリアからキャリア選択を行うことは、前記同じＣ＿ｒｅｓｅｌの値が０に等しい場合、フィルタリング後の前記複数のキャリアのＣＢＲに基づき、前記複数のキャリアからキャリア選択を行うことを含む。
【００２６】
可能な実現方式では、前記方法は、更に、Ｃ＿ｒｅｓｅｌの値が０に等しい場合、フィルタリング後の第１キャリアのＣＢＲが第３閾値を超えるかどうかを判定し、前記第１キャリアが現在データ伝送に使用されるキャリアであることを含み、
フィルタリング後の前記複数のキャリアのＣＢＲに基づき、前記複数のキャリアからキャリア選択を行うことは、フィルタリング後の前記第１キャリアのＣＢＲが前記第３閾値を超える場合、フィルタリング後の前記複数のキャリアのＣＢＲに基づき、前記複数のキャリアからキャリア選択を行うことを含む。
【００２７】
可能な実現方式では、前記複数のキャリアが前記第１キャリアを含む。
【００２８】
可能な実現方式では、前記複数のキャリアが前記第１キャリアを含まない。
【００２９】
可能な実現方式では、前記複数のキャリアのうちの各キャリアには１つの対応するＣ＿ｒｅｓｅｌが設定され、前記Ｃ＿ｒｅｓｅｌの値が０に等しい場合、フィルタリング後の第１キャリアのＣＢＲが第３閾値を超えるかどうかを判定することは、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記第１キャリアのＣＢＲが前記第３閾値を超えるかどうかを判定することを含む。
【００３０】
可能な実現方式では、前記複数のキャリアに同じＣ＿ｒｅｓｅｌが設定され、前記Ｃ＿ｒｅｓｅｌの値が０に等しい場合、フィルタリング後の第１キャリアのＣＢＲが第３閾値を超えるかどうかを判定することは、前記同じＣ＿ｒｅｓｅｌの値が０に等しい場合、フィルタリング後の前記第１キャリアのＣＢＲが第３閾値を超えるかどうかを判定することを含む。
【００３１】
可能な実現方式では、前記方法は、更に、Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることを含み、
フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことを含む。
【００３２】
該実施例では、リソース再選択カウンター（Ｃ＿ｒｅｓｅｌ）に基づいて現在キャリア選択を行う必要があるかどうかを判定して、キャリア選択を行う必要がある場合、現在のキャリアと他のキャリアとのＣＢＲの差が条件を満足するかどうかを判断し、且つ、ＣＢＲの差が条件を満足する場合、フィルタリング処理後のＣＢＲに基づいてキャリア選択を行い、それにより更にキャリアの切り替え頻度を低減し、システムの安定性を確保する。
【００３３】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【００３４】
可能な実現方式では、前記方法が端末装置により実行され、前記方法は、更に、前記端末装置が前記端末装置に予め設定された前記第１閾値を取得し、又は、前記端末装置がネットワーク装置から送信された、前記第１閾値を含む設定情報を受信することを含む。
【００３５】
可能な実現方式では、前記方法がネットワーク装置により実行され、前記方法は、更に、前記ネットワーク装置が前記第１閾値を含む設定情報を端末装置に送信することを含む。
【００３６】
可能な実現方式では、前記複数のキャリアのうちの各キャリアには１つの対応するＣ＿ｒｅｓｅｌが設定され、前記Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定することは、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することを含む。
【００３７】
可能な実現方式では、前記複数のキャリアに同じＣ＿ｒｅｓｅｌが設定され、Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定することは、前記同じＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することを含む。
【００３８】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも所定時間長で持続するとした場合、前記複数のキャリアのＣＢＲに基づき、前記複数のキャリアからキャリア選択を行うことを含む。
【００３９】
可能な実現方式では、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、前記複数のキャリアからキャリア選択を行うことは、前記フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値より大きい場合、前記複数のキャリアのＣＢＲに基づき、前記複数のキャリアからキャリア選択を行うことを含む。
【００４０】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことを含む。
【００４１】
可能な実現方式では、前記方法は、更に、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることを含み、
フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することを含む。
【００４２】
可能な実現方式では、フィルタリング後の前記複数のキャリアのＣＢＲに基づき、前記複数のキャリアからキャリア選択を行うことは、フィルタリング後の前記複数のキャリアのＣＢＲに基づき、前記複数のキャリアからフィルタリング後のＣＢＲが最も小さいキャリアを使用しようとするキャリアとして選択することを含む。
【００４３】
可能な実現方式では、前記方法が端末装置により実行され、候補の複数のキャリアのＣＢＲを取得することは、前記端末装置が前記複数のキャリアのＣＢＲを測定して、前記複数のキャリアのＣＢＲを取得することを含む。
【００４４】
可能な実現方式では、前記方法が端末装置により実行され、候補の複数のキャリアのＣＢＲを取得することは、前記端末装置が、ネットワーク装置から送信された、候補の前記複数のキャリアのＣＢＲが含まれるブロードキャストメッセージを受信することを含む。
【００４５】
可能な実現方式では、前記方法がネットワーク装置により実行され、候補の複数のキャリアのＣＢＲを取得することは、前記ネットワーク装置が端末装置から報告された前記複数のキャリアのＣＢＲを受信することを含む。
【００４６】
可能な実現方式では、前記キャリア選択過程がリソース保持確率（ＰｒｏｂＲｅｓｏｕｒｃｅＫｅｅｐ）パラメータに関連しない。
【００４７】
可能な実現方式では、前記複数のキャリアのうちの各キャリアのＣＢＲは、端末装置が前記各キャリアにおいて使用するリソースプールのＣＢＲである。
【００４８】
可能な実現方式では、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【００４９】
第２態様に係るキャリア選択方法であって、候補の複数のキャリアのチャネル占有率（ＣＢＲ）を取得することと、第１キャリアのＣＢＲと第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、前記第１キャリアのＣＢＲと前記第２キャリアのＣＢＲとの差値が第１閾値を超える場合、前記複数のキャリアのＣＢＲに基づき、前記複数のキャリアからキャリア選択を行うことと、を含む。
【００５０】
従って、現在のキャリアと他のキャリアとのＣＢＲの差に基づいてキャリア選択を行うかどうかを判断して、ＣＢＲの差が条件を満足する場合のみ、キャリア選択を行い、それによりキャリアの切り替え頻度を低減し、システムの安定性を確保する。
【００５１】
可能な実現方式では、第１キャリアのＣＢＲと第２キャリアのＣＢＲとの差値が第１閾値を超えるかどうかを判定することは、リソース再選択カウンター（Ｃ＿ｒｅｓｅｌ）の値が０に等しい場合、前記第１キャリアのＣＢＲと前記第２キャリアのＣＢＲとの差値が前記第１閾値を超えるかどうかを判定することを含む。
【００５２】
該実施例では、リソース再選択カウンター（Ｃ＿ｒｅｓｅｌ）に基づいて現在キャリア選択を行う必要があるかどうかを判定して、キャリア選択を行う必要がある場合、現在のキャリアと他のキャリアとのＣＢＲの差が条件を満足するかどうかを判断し、且つ、ＣＢＲの差が条件を満足する場合、異なるキャリアのＣＢＲに基づいてキャリア選択を行い、それによりキャリアの切り替え頻度を低減し、システムの安定性を確保する。
【００５３】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することを含む。
【００５４】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が第１閾値を超え、しかも所定時間長で持続するとした場合、前記複数のキャリアのＣＢＲに基づき、前記複数のキャリアからキャリア選択を行うことを含む。
【００５５】
可能な実現方式では、前記第１キャリアのＣＢＲと前記第２キャリアのＣＢＲとの差値が第１閾値を超え、しかも所定時間長で持続するとした場合、前記複数のキャリアのＣＢＲに基づき、前記複数のキャリアからキャリア選択を行うことは、第１キャリアのＣＢＲと前記第２キャリアのＣＢＲとの差値が前記第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することを含む。
【００５６】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が第１閾値を超え、しかも前記第１キャリアのＣＢＲが第２閾値より大きい場合、前記複数のキャリアのＣＢＲに基づき、前記複数のキャリアからキャリア選択を行うことを含む。
【００５７】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超え、しかも前記第１キャリアのＣＢＲが第２閾値以下である場合、前記第１キャリアを使用しようとするキャリアとして選択し、又は、
前記第１キャリアのＣＢＲと前記第２キャリアのＣＢＲとの差値が前記第１閾値を超え、しかも前記第１キャリアのＣＢＲが第２閾値以下である場合、ＣＢＲが前記第２閾値以下であるキャリアからキャリア選択を行うことを含む。
【００５８】
可能な実現方式では、前記方法は、更に、前記第１キャリアのＣＢＲと前記第２キャリアのＣＢＲとの差値が前記第１閾値を超えていない場合、前記第１キャリアを使用しようとするキャリアとして選択し、又は、
前記第１キャリアのＣＢＲと前記第２キャリアのＣＢＲとの差値が前記第１閾値を超えていない場合、前記複数のキャリアからいずれか１つのキャリアを使用しようとするキャリアとして選択し、又は、
前記第１キャリアのＣＢＲと前記第２キャリアのＣＢＲとの差値が前記第１閾値を超えていない場合、前記複数のキャリアからＣＢＲが最も小さいキャリアを使用しようとするキャリアとして選択することを含む。
【００５９】
可能な実現方式では、第１キャリアのＣＢＲと第２キャリアのＣＢＲとの差値が第１閾値を超えるかどうかを判定することは、Ｃ＿ｒｅｓｅｌの値が０に等しい場合、前記第１キャリアのＣＢＲと前記第２キャリアのＣＢＲとの差値が前記第１閾値を超えるかどうかを判定することを含む。
【００６０】
可能な実現方式では、前記複数のキャリアのうちの各キャリアには１つの対応するＣ＿ｒｅｓｅｌが設定され、前記Ｃ＿ｒｅｓｅｌの値が０に等しい場合、第１キャリアのＣＢＲと第２キャリアのＣＢＲとの差値が第１閾値を超えるかどうかを判定することは、前記複数のキャリアに設定された複数のＣ＿ｒｅｓｅｌのうちの現在データ伝送に使用されるキャリアに対応するＣ＿ｒｅｓｅｌの値が０に等しい場合、前記第１キャリアのＣＢＲと前記第２キャリアのＣＢＲとの差値が前記第１閾値を超えるかどうかを判定することを含む。
【００６１】
可能な実現方式では、前記複数のキャリアに同じＣ＿ｒｅｓｅｌが設定され、Ｃ＿ｒｅｓｅｌの値が０に等しい場合、第１キャリアのＣＢＲと第２キャリアのＣＢＲとの差値が第１閾値を超えるかどうかを判定することは、前記同じＣ＿ｒｅｓｅｌの値が０に等しい場合、前記第１キャリアのＣＢＲと前記第２キャリアのＣＢＲとの差値が前記第１閾値を超えるかどうかを判定することを含む。
【００６２】
可能な実現方式では、前記複数のキャリアからキャリア選択を行うことは、前記複数のキャリアのＣＢＲに基づき、前記複数のキャリアからＣＢＲが最も小さいキャリアを使用しようとするキャリアとして選択することを含む。
【００６３】
可能な実現方式では、前記方法が端末装置により実行され、候補の複数のキャリアのＣＢＲを取得することは、前記端末装置が前記複数のキャリアのＣＢＲを測定して、前記複数のキャリアのＣＢＲを取得することを含む。
【００６４】
可能な実現方式では、前記方法が端末装置により実行され、候補の複数のキャリアのＣＢＲを取得することは、前記端末装置が、ネットワーク装置から送信された、候補の前記複数のキャリアのＣＢＲが含まれるブロードキャストメッセージを受信することを含む。
【００６５】
可能な実現方式では、前記方法は、更に、前記端末装置が前記端末装置に予め設定された前記第１閾値を取得し、又は、前記端末装置がネットワーク装置から送信された、前記第１閾値を含む設定情報を受信することを含む。
【００６６】
可能な実現方式では、前記方法がネットワーク装置により実行され、候補の複数のキャリアのＣＢＲを取得することは、前記ネットワーク装置が端末装置から報告された前記複数のキャリアのＣＢＲを受信することを含む。
【００６７】
可能な実現方式では、前記方法は、更に、前記ネットワーク装置が前記第１閾値を含む設定情報を端末装置に送信することを含む。
【００６８】
可能な実現方式では、前記キャリア選択過程がリソース保持確率（ＰｒｏｂＲｅｓｏｕｒｃｅＫｅｅｐ）パラメータに関連しない。
【００６９】
可能な実現方式では、前記複数のキャリアのうちの各キャリアのＣＢＲは、端末装置が前記各キャリアにおいて使用するリソースプールのＣＢＲである。
【００７０】
可能な実現方式では、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【００７１】
第３態様に係るキャリア選択方法であって、候補の複数のキャリアのチャネル占有率（ＣＢＲ）を取得することと、リソース再選択カウンター（Ｃ＿ｒｅｓｅｌ）の値が０に等しい場合、前記複数のキャリアのＣＢＲに基づき、前記複数のキャリアからキャリア選択を行うことと、を含む。
【００７２】
従って、キャリア選択過程はＰｒｏｂＲｅｓｏｕｒｃｅＫｅｅｐパラメータに依存せず、リソース再選択カウンター（Ｃ＿ｒｅｓｅｌ）に基づいて現在キャリア選択を行う必要があるかどうかを判定するものであり、これにより、効果的なキャリア選択を実現し、システムの複雑度を低減する。
【００７３】
可能な実現方式では、前記複数のキャリアのうちの各キャリアには１つの対応するＣ＿ｒｅｓｅｌが設定され、Ｃ＿ｒｅｓｅｌの値が０に等しい場合、前記複数のキャリアのＣＢＲに基づき、前記複数のキャリアからキャリア選択を行うことは、前記複数のキャリアに設定された複数のＣ＿ｒｅｓｅｌのうちの現在データ伝送に使用されるキャリアに対応するＣ＿ｒｅｓｅｌの値が０に等しい場合、前記複数のキャリアのＣＢＲに基づき、前記複数のキャリアからキャリア選択を行うことを含む。
【００７４】
可能な実現方式では、前記複数のキャリアに同じＣ＿ｒｅｓｅｌが設定され、Ｃ＿ｒｅｓｅｌの値が０に等しい場合、前記複数のキャリアのＣＢＲに基づき、前記複数のキャリアからキャリア選択を行うことは、前記同じＣ＿ｒｅｓｅｌの値が０に等しい場合、前記複数のキャリアのＣＢＲに基づき、前記複数のキャリアからキャリア選択を行うことを含む。
【００７５】
可能な実現方式では、前記方法は、更に、Ｃ＿ｒｅｓｅｌの値が０に等しい場合、第１キャリアのＣＢＲが第３閾値を超えるかどうかを判定し、前記第１キャリアが現在データ伝送に使用されるキャリアであることを含み、
前記複数のキャリアのＣＢＲに基づき、前記複数のキャリアからキャリア選択を行うことは、前記第１キャリアのＣＢＲが前記第３閾値を超える場合、前記複数のキャリアのＣＢＲに基づき、前記複数のキャリアからキャリア選択を行うことを含む。
【００７６】
可能な実現方式では、前記複数のキャリアが前記第１キャリアを含む。
【００７７】
可能な実現方式では、前記複数のキャリアが前記第１キャリアを含まない。
【００７８】
可能な実現方式では、前記複数のキャリアのＣＢＲに基づき、前記複数のキャリアからキャリア選択を行うことは、前記複数のキャリアのＣＢＲに基づき、前記複数のキャリアからＣＢＲが最も小さいキャリアを使用しようとするキャリアとして選択することを含む。
【００７９】
可能な実現方式では、前記方法が端末装置により実行され、候補の複数のキャリアのＣＢＲを取得することは、前記端末装置が前記複数のキャリアのＣＢＲを測定して、前記複数のキャリアのＣＢＲを取得することを含む。
【００８０】
可能な実現方式では、前記方法が端末装置により実行され、候補の複数のキャリアのＣＢＲを取得することは、前記端末装置が、ネットワーク装置から送信された、候補の前記複数のキャリアのＣＢＲが含まれるブロードキャストメッセージを受信することを含む。
【００８１】
可能な実現方式では、前記方法がネットワーク装置により実行され、候補の複数のキャリアのＣＢＲを取得することは、前記ネットワーク装置が端末装置から報告された前記複数のキャリアのＣＢＲを受信することを含む。
【００８２】
可能な実現方式では、前記キャリア選択過程がリソース保持確率（ＰｒｏｂＲｅｓｏｕｒｃｅＫｅｅｐ）パラメータに関連しない。
【００８３】
可能な実現方式では、前記複数のキャリアのうちの各キャリアのＣＢＲは、端末装置が前記各キャリアにおいて使用するリソースプールのＣＢＲである。
【００８４】
可能な実現方式では、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【００８５】
第４態様に係るキャリア選択方法であって、候補の複数のキャリアのチャネル占有率（ＣＢＲ）を取得することと、端末装置の位置が第１ゾーンから第２ゾーンまで移動した場合、前記複数のキャリアのＣＢＲに基づき、前記複数のキャリアからキャリア選択を行うことと、を含む。
【００８６】
従って、端末装置の位置移動によってキャリア選択を行うかどうかを判定して、端末装置の位置する地理的ゾーンが変化する場合のみ、キャリア選択を行い、それによりキャリアの切り替え頻度を低減し、システムの安定性を確保する。
【００８７】
可能な実現方式では、端末装置の位置が第１ゾーンから第２ゾーンまで移動した場合、前記複数のキャリアのＣＢＲに基づき、前記複数のキャリアからキャリア選択を行うことは、
端末装置の位置が第１ゾーンから第２ゾーンまで移動した場合、第１キャリアのＣＢＲと第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、
前記第１キャリアのＣＢＲと前記第２キャリアのＣＢＲとの差値が前記第１閾値を超える場合、前記複数のキャリアのＣＢＲに基づき、前記複数のキャリアからキャリア選択を行うことと、を含む。
【００８８】
該実施例では、端末装置の位置する地理的ゾーンが変化する場合、現在のキャリアと他のキャリアとのＣＢＲの差値に基づいてキャリア選択を行うかどうかを判断して、ＣＢＲ差値が条件を満足する場合、キャリア選択を行い、それにより更にキャリアの切り替え頻度を低減し、システムの安定性を確保する。
【００８９】
可能な実現方式では、前記第１キャリアのＣＢＲと前記第２キャリアのＣＢＲとの差値が前記第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することを含む。
【００９０】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超え、しかも所定時間長で持続するとした場合、前記複数のキャリアのＣＢＲに基づき、前記複数のキャリアからキャリア選択を行うことを含む。
【００９１】
可能な実現方式では、前記第１キャリアのＣＢＲと前記第２キャリアのＣＢＲとの差値が前記第１閾値を超え、しかも所定時間長で持続するとした場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超え、しかも所定時間長で持続するとした場合、前記複数のキャリアのＣＢＲに基づき、ＣＢＲと第１キャリアのＣＢＲとの差が第１閾値を超えるキャリアから、１つのキャリアを使用しようとするキャリアとして選択することを含む。
【００９２】
可能な実現方式では、前記第１キャリアのＣＢＲと前記第２キャリアのＣＢＲとの差値が第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超え、しかも前記第１キャリアのＣＢＲが第２閾値より大きい場合、前記複数のキャリアのＣＢＲに基づき、前記複数のキャリアからキャリア選択を行うことを含む。
【００９３】
可能な実現方式では、前記フィルタリング後の前記第１キャリアのＣＢＲとフィルタリング後の前記第２キャリアのＣＢＲとの差値が前記第１閾値を超える場合、前記複数のキャリアのＣＢＲに基づき、前記複数のキャリアからキャリア選択を行うことは、前記第１キャリアのＣＢＲと前記第２キャリアのＣＢＲとの差値が前記第１閾値を超え、しかも前記第１キャリアのＣＢＲが第２閾値以下である場合、前記第１キャリアを使用しようとするキャリアとして選択し、又は、
前記第１キャリアのＣＢＲと前記第２キャリアのＣＢＲとの差値が前記第１閾値を超え、しかも前記第１キャリアのＣＢＲが第２閾値以下である場合、ＣＢＲが前記第２閾値以下であるキャリアからキャリア選択を行うことを含む。
【００９４】
可能な実現方式では、前記方法は、更に、端末装置の位置が第１ゾーンから第２ゾーンまで移動した場合、第１キャリアのＣＢＲと第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、
前記第１キャリアのＣＢＲとフィルタリング後の前記第２キャリアのＣＢＲとの差値が前記第１閾値を超えていない場合、前記第１キャリアを使用しようとするキャリアとして選択し、又は、
前記第１キャリアのＣＢＲと前記第２キャリアのＣＢＲとの差値が前記第１閾値を超えていない場合、前記複数のキャリアからいずれか１つのキャリアを使用しようとするキャリアとして選択し、又は、
前記第１キャリアのＣＢＲと前記第２キャリアのＣＢＲとの差値が前記第１閾値を超えていない場合、前記複数のキャリアからＣＢＲが最も小さいキャリアを使用しようとするキャリアとして選択することと、を含む。
【００９５】
可能な実現方式では、前記方法が端末装置により実行され、前記方法は、更に、前記端末装置が前記端末装置に予め設定された前記第１閾値を取得し、又は、前記端末装置がネットワーク装置から送信された、前記第１閾値を含む設定情報を受信することを含む。
【００９６】
可能な実現方式では、前記方法がネットワーク装置により実行され、前記方法は、更に、前記ネットワーク装置が前記第１閾値を含む設定情報を端末装置に送信することを含む。
【００９７】
可能な実現方式では、前記複数のキャリアのＣＢＲに基づき、前記複数のキャリアからキャリア選択を行うことは、前記複数のキャリアのＣＢＲに基づき、前記複数のキャリアからＣＢＲが最も小さいキャリアを使用しようとするキャリアとして選択することを含む。
【００９８】
可能な実現方式では、前記方法は、更に、前記複数のキャリアのＣＢＲをフィルタリング処理して、フィルタリング後の前記複数のキャリアのＣＢＲを取得することを含み、
端末装置の位置が第１ゾーンから第２ゾーンまで移動した場合、前記複数のキャリアのＣＢＲに基づき、前記複数のキャリアからキャリア選択を行うことは、端末装置の位置が第１ゾーンから第２ゾーンまで移動した場合、フィルタリング後の前記複数のキャリアのＣＢＲに基づき、前記複数のキャリアからキャリア選択を行うことを含む。
【００９９】
該実施例では、端末装置の位置する地理的ゾーンが変化する場合、複数のキャリアのＣＢＲの測定結果をフィルタリング処理して、フィルタリング処理後の該複数のキャリアのＣＢＲに基づき、フィルタリング後の該複数のキャリアからキャリア選択を行い、それによりキャリア選択を実現するとともに、キャリアの切り替え頻度を低減し、システムの安定性を確保する。
【０１００】
可能な実現方式では、前記複数のキャリアのＣＢＲをフィルタリング処理することは、前記複数のキャリアのＣＢＲに対して平滑化フィルタリングを行うことを含む。
【０１０１】
可能な実現方式では、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０１０２】
可能な実現方式では、端末装置の位置が第１ゾーンから第２ゾーンまで移動した場合、前記複数のキャリアのＣＢＲに基づき、前記複数のキャリアからキャリア選択を行うことは、前記端末装置の位置が前記第１ゾーンから前記第２ゾーンまで移動した場合、第１キャリアのＣＢＲが第３閾値を超えるかどうかを判定し、前記第１キャリアが現在データ伝送に使用されるキャリアであることと、前記第１キャリアのＣＢＲが前記第３閾値を超える場合、前記複数のキャリアのＣＢＲに基づき、前記複数のキャリアからキャリア選択を行うことと、を含む。
【０１０３】
可能な実現方式では、前記複数のキャリアが前記第１キャリアを含む。
【０１０４】
可能な実現方式では、前記複数のキャリアが前記第１キャリアを含まない。
【０１０５】
可能な実現方式では、前記方法は、更に、前記複数のキャリアのＣＢＲをフィルタリング処理して、フィルタリング後の前記複数のキャリアのＣＢＲを取得することを含み、
端末装置の位置が第１ゾーンから第２ゾーンまで移動した場合、前記複数のキャリアのＣＢＲに基づき、前記複数のキャリアからキャリア選択を行うことは、前記端末装置の位置が前記第１ゾーンから前記第２ゾーンまで移動した場合、第１キャリアのＣＢＲが第３閾値を超えるかどうかを判定し、前記第１キャリアが現在データ伝送に使用されるキャリアであることと、前記第１キャリアのＣＢＲが前記第３閾値を超える場合、前記複数のキャリアのＣＢＲに基づき、前記複数のキャリアからキャリア選択を行うことと、を含む。
【０１０６】
可能な実現方式では、前記複数のキャリアが前記第１キャリアを含む。
【０１０７】
可能な実現方式では、前記複数のキャリアが前記第１キャリアを含まない。
【０１０８】
可能な実現方式では、前記複数のキャリアのＣＢＲをフィルタリング処理することは、前記複数のキャリアのＣＢＲに対して平滑化フィルタリングを行うことを含む。
【０１０９】
可能な実現方式では、前記平滑化フィルタリング後の前記複数のキャリアのうちの各キャリアのＣＢＲは、
ＣＢＲ＿ｎｅｗ＝ａ×ＣＢＲ＿ｏｌｄ＋（１−ａ）×ＣＢＲ＿ｃｕｒｒｅｎｔであり、
ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０１１０】
可能な実現方式では、前記方法は、更に、前記複数のキャリアのＣＢＲをフィルタリング処理して、フィルタリング後の前記複数のキャリアのＣＢＲを取得することを含み、
端末装置の位置が第１ゾーンから第２ゾーンまで移動した場合、前記複数のキャリアのＣＢＲに基づき、前記複数のキャリアからキャリア選択を行うことは、
前記端末装置の位置が前記第１ゾーンから前記第２ゾーンまで移動した場合、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、
フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことと、を含む。
【０１１１】
該実施例では、端末装置の位置する地理的ゾーンが変化する場合、現在のキャリアと他のキャリアとのＣＢＲの差値に基づいてキャリア選択を行うかどうかを判断して、ＣＢＲ差値が条件を満足する場合、複数のキャリアのＣＢＲの測定結果をフィルタリング処理して、フィルタリング処理後の該複数のキャリアのＣＢＲに基づき、該複数のキャリアからキャリア選択を行い、それによりキャリア選択を実現するとともに、キャリアの切り替え頻度を低減し、システムの安定性を確保する。
【０１１２】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０１１３】
可能な実現方式では、前記複数のキャリアのＣＢＲをフィルタリング処理することは、前記複数のキャリアのＣＢＲに対して平滑化フィルタリングを行うことを含む。
【０１１４】
可能な実現方式では、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０１１５】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、前記複数のキャリアからキャリア選択を行うことを含む。
【０１１６】
可能な実現方式では、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０１１７】
可能な実現方式では、フィルタリング後の前記第１キャリアのＣＢＲとフィルタリング後の前記第２キャリアのＣＢＲとの差値が第１閾値を超える場合、前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかも前記第１キャリアのＣＢＲが第２閾値より大きい場合、フィルタリング後の前記複数のキャリアのＣＢＲに基づき、前記複数のキャリアからキャリア選択を行うことを含む。
【０１１８】
可能な実現方式では、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことは、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことを含む。
【０１１９】
可能な実現方式では、前記方法は、更に、前記複数のキャリアのＣＢＲをフィルタリング処理して、フィルタリング後の前記複数のキャリアのＣＢＲを取得することを含み、
端末装置の位置が第１ゾーンから第２ゾーンまで移動した場合、前記複数のキャリアのＣＢＲに基づき、前記複数のキャリアからキャリア選択を行うことは、前記端末装置の位置が前記第１ゾーンから前記第２ゾーンまで移動した場合、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、
フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することと、を含む。
【０１２０】
可能な実現方式では、前記複数のキャリアのＣＢＲに基づき、前記複数のキャリアからキャリア選択を行うことは、フィルタリング後の前記複数のキャリアのＣＢＲに基づき、前記複数のキャリアからフィルタリング後のＣＢＲが最も小さいキャリアを使用しようとするキャリアとして選択することを含む。
【０１２１】
可能な実現方式では、前記方法が端末装置により実行され、候補の複数のキャリアのＣＢＲを取得することは、前記端末装置が前記複数のキャリアのＣＢＲを測定して、前記複数のキャリアのＣＢＲを取得することを含む。
【０１２２】
可能な実現方式では、前記方法が端末装置により実行され、候補の複数のキャリアのＣＢＲを取得することは、前記端末装置が、ネットワーク装置から送信された、候補の前記複数のキャリアのＣＢＲが含まれるブロードキャストメッセージを受信することを含む。
【０１２３】
可能な実現方式では、前記方法がネットワーク装置により実行され、候補の複数のキャリアのＣＢＲを取得することは、前記ネットワーク装置が端末装置から報告された前記複数のキャリアのＣＢＲを受信することを含む。
【０１２４】
可能な実現方式では、前記複数のキャリアのうちの各キャリアのＣＢＲは、端末装置が前記各キャリアにおいて使用するリソースプールのＣＢＲである。
【０１２５】
可能な実現方式では、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０１２６】
第５態様に係るキャリア選択方法であって、候補の複数のキャリアのチャネル占有率（ＣＢＲ）を取得することと、第１キャリアのＣＢＲが第３閾値を超えるかどうかを判定し、前記第１キャリアが現在データ伝送に使用されるキャリアであることと、前記第１キャリアのＣＢＲが前記第３閾値を超える場合、前記複数のキャリアのＣＢＲに基づき、前記複数のキャリアからキャリア選択を行うことと、を含む。
【０１２７】
従って、現在のキャリアのＣＢＲと第３閾値とを比較して、第１キャリアのＣＢＲが第３閾値より大きい場合、キャリア選択を行い、それによりキャリアの切り替え頻度を低減し、システムの安定性を確保する。
【０１２８】
可能な実現方式では、前記複数のキャリアが前記第１キャリアを含む。
【０１２９】
可能な実現方式では、前記複数のキャリアが前記第１キャリアを含まない。
【０１３０】
可能な実現方式では、前記複数のキャリアからキャリア選択を行うことは、前記複数のキャリアのＣＢＲに基づき、前記複数のキャリアからＣＢＲが最も小さいキャリアを使用しようとするキャリアとして選択することを含む。
【０１３１】
可能な実現方式では、前記方法が端末装置により実行され、候補の複数のキャリアのＣＢＲを取得することは、前記端末装置が前記複数のキャリアのＣＢＲを測定して、前記複数のキャリアのＣＢＲを取得することを含む。
【０１３２】
可能な実現方式では、前記方法が端末装置により実行され、候補の複数のキャリアのＣＢＲを取得することは、前記端末装置が、ネットワーク装置から送信された、候補の前記複数のキャリアのＣＢＲが含まれるブロードキャストメッセージを受信することを含む。
【０１３３】
可能な実現方式では、前記方法は、更に、前記端末装置が前記端末装置に予め設定された前記第３閾値を取得し、又は、前記端末装置がネットワーク装置から送信された、前記第３閾値を含む設定情報を受信することを含む。
【０１３４】
可能な実現方式では、前記方法がネットワーク装置により実行され、候補の複数のキャリアのＣＢＲを取得することは、前記ネットワーク装置が端末装置から報告された前記複数のキャリアのＣＢＲを受信することを含む。
【０１３５】
可能な実現方式では、前記方法は、更に、前記ネットワーク装置が前記第３閾値を含む設定情報を端末装置に送信することを含む。
【０１３６】
可能な実現方式では、前記複数のキャリアのうちの各キャリアのＣＢＲは、端末装置が前記各キャリアにおいて使用するリソースプールのＣＢＲである。
【０１３７】
可能な実現方式では、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０１３８】
第６態様に係る通信装置であって、該通信装置は上記第１態様又は第１態様のいずれか１つの可能な実現方式における通信装置の操作を実行することができる。具体的に、該通信装置は上記第１態様又は第１態様のいずれか１つの可能な実現方式における操作を実行するためのモジュールユニットを備えてもよい。
【０１３９】
第７態様に係る通信装置であって、該通信装置は上記第２態様又は第２態様のいずれか１つの可能な実現方式における通信装置の操作を実行することができる。具体的に、該通信装置は上記第２態様又は第２態様のいずれか１つの可能な実現方式における操作を実行するためのモジュールユニットを備えてもよい。
【０１４０】
第８態様に係る通信装置であって、該通信装置は上記第３態様又は第３態様のいずれか１つの可能な実現方式における通信装置の操作を実行することができる。具体的に、該通信装置は上記第３態様又は第３態様のいずれか１つの可能な実現方式における操作を実行するためのモジュールユニットを備えてもよい。
【０１４１】
第９態様に係る通信装置であって、該通信装置は上記第４態様又は第４態様のいずれか１つの可能な実現方式における通信装置の操作を実行することができる。具体的に、該通信装置は上記第４態様又は第４態様のいずれか１つの可能な実現方式における操作を実行するためのモジュールユニットを備えてもよい。
【０１４２】
第１０態様に係る通信装置であって、該通信装置は上記第５態様又は第５態様のいずれか１つの可能な実現方式における通信装置の操作を実行することができる。具体的に、該通信装置は上記第５態様又は第５態様のいずれか１つの可能な実現方式における操作を実行するためのモジュールユニットを備えてもよい。
【０１４３】
第１１態様に係る通信装置であって、該通信装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該通信装置が第１態様又は第１態様のいずれか１つの可能な実現方式における方法を実行し、又は、該実行によって該通信装置が第６態様に係る通信装置を実現する。
【０１４４】
第１２態様に係る通信装置であって、該通信装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該通信装置が第２態様又は第２態様のいずれか１つの可能な実現方式における方法を実行し、又は、該実行によって該通信装置が第７態様に係る通信装置を実現する。
【０１４５】
第１３態様に係る通信装置であって、該通信装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該通信装置が第３態様又は第３態様のいずれか１つの可能な実現方式における方法を実行し、又は、該実行によって該通信装置が第８態様に係る通信装置を実現する。
【０１４６】
第１４態様に係る通信装置であって、該通信装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該通信装置が第４態様又は第４態様のいずれか１つの可能な実現方式における方法を実行し、又は、該実行によって該通信装置が第９態様に係る通信装置を実現する。
【０１４７】
第１５態様に係る通信装置であって、該通信装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該通信装置が第５態様又は第５態様のいずれか１つの可能な実現方式における方法を実行し、又は、該実行によって該通信装置が第１０態様に係る通信装置を実現する。
【０１４８】
第１６態様に係るコンピュータ可読記憶媒体であって、前記コンピュータ可読記憶媒体にプログラムが記憶され、前記プログラムによって通信装置が上記第１態様及びその様々な実現方式におけるいずれか１つのキャリア選択方法を実行する。
【０１４９】
第１７態様に係るコンピュータ可読記憶媒体であって、前記コンピュータ可読記憶媒体にプログラムが記憶され、前記プログラムによって通信装置が上記第２態様及びその様々な実現方式におけるいずれか１つのキャリア選択方法を実行する。
【０１５０】
第１８態様に係るコンピュータ可読記憶媒体であって、前記コンピュータ可読記憶媒体にプログラムが記憶され、前記プログラムによって通信装置が上記第３態様及びその様々な実現方式におけるいずれか１つのキャリア選択方法を実行する。
【０１５１】
第１９態様に係るコンピュータ可読記憶媒体であって、前記コンピュータ可読記憶媒体にプログラムが記憶され、前記プログラムによって通信装置が上記第４態様及びその様々な実現方式におけるいずれか１つのキャリア選択方法を実行する。
【０１５２】
第２０態様に係るコンピュータ可読記憶媒体であって、前記コンピュータ可読記憶媒体にプログラムが記憶され、前記プログラムによって通信装置が上記第５態様及びその様々な実現方式におけるいずれか１つのキャリア選択方法を実行する。
【０１５３】
第２１態様に係るチップであって、該チップは入力インターフェース、出力インターフェース、プロセッサ及びメモリを備え、該プロセッサは該メモリに記憶される命令を実行することに用いられ、該命令が実行されるとき、該プロセッサは上記第１態様又は第１態様のいずれか１つの可能な実現方式における方法を実現することができる。
【０１５４】
第２２態様に係るチップであって、該チップは入力インターフェース、出力インターフェース、プロセッサ及びメモリを備え、該プロセッサは該メモリに記憶される命令を実行することに用いられ、該命令が実行されるとき、該プロセッサは上記第２態様又は第２態様のいずれか１つの可能な実現方式における方法を実現することができる。
【０１５５】
第２３態様に係るチップであって、該チップは入力インターフェース、出力インターフェース、プロセッサ及びメモリを備え、該プロセッサは該メモリに記憶される命令を実行することに用いられ、該命令が実行されるとき、該プロセッサは上記第３態様又は第３態様のいずれか１つの可能な実現方式における方法を実現することができる。
【０１５６】
第２４態様に係るチップであって、該チップは入力インターフェース、出力インターフェース、プロセッサ及びメモリを備え、該プロセッサは該メモリに記憶される命令を実行することに用いられ、該命令が実行されるとき、該プロセッサは上記第４態様又は第４態様のいずれか１つの可能な実現方式における方法を実現することができる。
【０１５７】
第２５態様に係るチップであって、該チップは入力インターフェース、出力インターフェース、プロセッサ及びメモリを備え、該プロセッサは該メモリに記憶される命令を実行することに用いられ、該命令が実行されるとき、該プロセッサは上記第５態様又は第５態様のいずれか１つの可能な実現方式における方法を実現することができる。
【０１５８】
第２６態様に係る命令を含むコンピュータプログラム製品であって、前記コンピュータプログラム製品がコンピュータにおいて実行されるとき、該コンピュータが上記第１態様又は第１態様のいずれか１つの可能な実現方式における方法を実行する。
【０１５９】
第２７態様に係る命令を含むコンピュータプログラム製品であって、前記コンピュータプログラム製品がコンピュータにおいて実行されるとき、該コンピュータが上記第２態様又は第２態様のいずれか１つの可能な実現方式における方法を実行する。
【０１６０】
第２８態様に係る命令を含むコンピュータプログラム製品であって、前記コンピュータプログラム製品がコンピュータにおいて実行されるとき、該コンピュータが上記第３態様又は第３態様のいずれか１つの可能な実現方式における方法を実行する。
【０１６１】
第２９態様に係る命令を含むコンピュータプログラム製品であって、前記コンピュータプログラム製品がコンピュータにおいて実行されるとき、該コンピュータが上記第４態様又は第４態様のいずれか１つの可能な実現方式における方法を実行する。
【０１６２】
第３０態様に係る命令を含むコンピュータプログラム製品であって、前記コンピュータプログラム製品がコンピュータにおいて実行されるとき、該コンピュータが上記第５態様又は第５態様のいずれか１つの可能な実現方式における方法を実行する。
【図面の簡単な説明】
【０１６３】
【図１】図１は本願の実施例の応用シーンのアーキテクチャ模式図である。
【図２】図２は本願の一実施例の他の応用シーンのアーキテクチャ模式図である。
【図３】図３は本願の他の実施例のリソースをセンシング・選択する模式図である。
【図４】図４は本願の別の実施例のキャリア選択方法のフローチャートである。
【図５】図５は本願の他の実施例のキャリア選択方法のフローチャートである。
【図６】図６は本願の別の実施例のキャリア選択方法のフローチャートである。
【図７】図７は本願の別の実施例のキャリア選択方法のフローチャートである。
【図８】図８は本願の別の実施例のキャリア選択方法のフローチャートである。
【図９】図９は本願の一実施例の通信装置のブロック図である。
【図１０】図１０は本願の他の実施例の通信装置のブロック図である。
【図１１】図１１は本願の別の実施例の通信装置のブロック図である。
【図１２】図１２は本願の別の実施例の通信装置のブロック図である。
【図１３】図１３は本願の別の実施例の通信装置のブロック図である。
【図１４】図１４は本願の実施例の通信装置の構造模式図である。
【図１５】図１５は本願の実施例のチップの構造模式図である。
【発明を実施するための形態】
【０１６４】
以下、図面を参照しながら本願の実施例の技術案を説明する。
【０１６５】
理解すべきこととして、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システム等に適用されてもよい。
【０１６６】
本願は端末装置と組み合わせて各実施例を説明した。端末装置は更にユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）ネットワークにおける端末装置等であってもよい。
【０１６７】
本願はネットワーク装置と組み合わせて各実施例を説明した。ネットワーク装置は端末装置と通信するための装置であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、該ネットワーク装置は中継所、アクセスポイント、車載装置、ウェアラブル端末及び将来の５Ｇネットワークにおけるネットワーク側装置又は将来発展するＰＬＭＮネットワークにおけるネットワーク側装置等であってもよい。
【０１６８】
図１及び図２は本願の実施例の応用シーンの模式図である。図１には１つのネットワーク装置及び２つの端末装置を例示的に示し、好ましくは、該無線通信システムは複数のネットワーク装置を備えてもよく、且つ各ネットワーク装置のカバレッジ範囲内に他の数の端末装置が含まれてもよく、本発明の実施例はこれを制限しない。なお、該無線通信システムは更にモビリティ管理エンティティ（ＭＭＥ：Ｍｏｂｉｌｅ  Ｍａｎａｇｅｍｅｎｔ  Ｅｎｔｉｔｙ）、サービングゲートウェイ（Ｓ−ＧＷ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）等の他のネットワークエンティティを備えてもよいが、本発明の実施例はこれらに限らない。
【０１６９】
具体的に、端末装置２０と端末装置３０とがセルラー通信モード又はＤ２Ｄ通信モードで通信することができ、セルラー通信モードにおいて、端末装置がネットワーク装置との間のセルラーリンクを介して他の端末装置と通信し、例えば、図１に示すように、端末装置２０、端末装置３０がいずれもネットワーク装置との間にデータ伝送を行うことができることになり、Ｄ２Ｄ通信モードにおいて、２つの端末装置が端末間直接通信リンクとも称されるＤ２Ｄリンク即ち、サイドリンク（ＳＬ：Ｓｉｄｅｌｉｎｋ）を介して直接通信し、例えば、図１又は図２に示すように、端末装置２０と端末装置３０とがサイドリンクを介して直接通信する。
【０１７０】
Ｄ２Ｄ通信は車車間（Ｖ２Ｖ：Ｖｅｈｉｃｌｅ  ｔｏ  Ｖｅｈｉｃｌｅ）通信又は車車間・路車間（Ｖ２Ｘ：Ｖｅｈｉｃｌｅ  ｔｏ  Ｅｖｅｒｙｔｈｉｎｇ）通信を指してもよい。Ｖ２Ｘ通信において、Ｘは一般的にいかなる無線送受信機能を有する装置を指してもよいが、例えば低速で移動する無線装置、高速で移動する車載装置、又は無線送受信機能を有するネットワーク制御ノード等が挙げられるが、それらに限らない。理解すべきこととして、本発明の実施例は主にＶ２Ｘ通信シーンに適用されるが、いかなる他のＤ２Ｄ通信シーンに適用されてもよく、本発明の実施例はこれを制限しない。
【０１７１】
車のネットワークシステムには２つのタイプの端末装置、即ち、センシング能力を有する端末装置例えば車載端末（ＶＵＥ：Ｖｅｈｉｃｌｅ  Ｕｓｅｒ  Ｅｑｕｉｐｍｅｎｔ）又は歩行者用ハンドヘルド端末（ＰＵＥ：Ｐｅｄｅｓｔｒｉａｎ  Ｕｓｅｒ  Ｅｑｕｉｐｍｅｎｔ）、及びセンシング能力を有しない端末装置例えばＰＵＥがあってもよい。ＶＵＥはより高い処理能力を有し、且つ一般的に車内の蓄電池によって給電するが、ＰＵＥ処理能力がより低いため、消費電力の低減もＰＵＥの考慮すべき要因の１つであり、従って、従来の車のネットワークシステムにおいて、ＶＵＥは受信能力及びセンシング能力を完全に有すると見なされるが、ＰＵＥは受信・センシング能力を部分的に有し又は受信・センシング能力を有しないと見なされる。ＰＵＥはセンシング能力を部分的に有する場合、そのリソースの選択はＶＵＥと類似のセンシング方法を用いて、センシング可能な部分のリソースにおいて利用可能リソースの選択を行ってもよいが、ＰＵＥはセンシング能力を有しない場合、ＰＵＥはリソースプールから伝送リソースをランダムに選択する。
【０１７２】
３ＧＰＰプロトコルには２つの伝送モード、即ち、伝送モード３（ｍｏｄｅ  ３）及び伝送モード４（ｍｏｄｅ  ４）を定義されている。伝送モード３を用いる端末装置の伝送リソースは基地局により割り当てられたものであり、端末装置が基地局により割り当てられたリソースに基づいてサイドリンクにおいてデータの送信を行うことになり、基地局は端末装置に一回伝送のためのリソースを割り当ててもよいし、端末装置に半静的伝送のためのリソースを割り当ててもよい。伝送モード４を用いる端末装置はセンシング（ｓｅｎｓｉｎｇ）及びリザーブ（ｒｅｓｅｒｖａｔｉｏｎ）方式でデータを伝送する。端末装置はリソースプールからセンシング方式で利用可能なリソースセットを取得して、該利用可能なリソースセットから１つのリソースをランダムに選択してデータ伝送を行う。車のネットワークシステムにおけるサービスが周期的特徴を有するため、端末装置は一般的に半静的伝送方式を用い、つまり、端末装置は１つの伝送リソースを選択した後、複数の伝送サイクルにおいて該リソースを持続使用することになり、それによりリソース再選択及びリソース衝突の確率を低減する。端末装置は今回伝送する制御情報に次回伝送するリソースの情報を含ませ、リザーブし、それにより他の端末装置は、該端末装置の制御情報を検出することによって、該リソースが該端末装置にリザーブ・使用されているかどうかを判断することができ、これにより、リソース衝突を低減する目的を実現する。
【０１７３】
端末装置はリソースのセンシングを行うとき、具体的に図３に示される方法に基づいてリソースのセンシングを行うことができる。Ｒｅｌｅａｓｅ−１４の３ＧＰＰプロトコルにおいて、各サイドリンクプロセス（ｓｉｄｅｌｉｎｋ  ｐｒｏｃｅｓｓ）（１つのキャリアが２つのプロセスを含んでもよい）において、時刻ｎに新たなパケットが到着するとき、リソース選択を行う必要があり、端末装置は１ｓ前（即ち、１０００ｍｓ）のセンシング窓のセンシング結果に基づき、［ｎ＋Ｔ１，ｎ＋Ｔ２］ｍｓの時間帯内にリソース選択を行い、前記［ｎ＋Ｔ１，ｎ＋Ｔ２］ｍｓの時間帯が選択窓と称され、Ｔ１及びＴ２が例えばＴ１≦４、２０≦Ｔ２≦１００を満足することができる。以下に記載の１ｓ前はいずれもｎ時刻に対する１ｓ前を指す。具体的なリソース選択過程は以下のとおりであり、ここで、端末装置２０が端末装置３０のリソースをセンシングする場合を例として説明し、選択窓内のすべての端末装置２０が伝送を行うために使用できるリソースは候補リソースセットと称されると仮定する。
【０１７４】
（１）センシング窓内のいくつかのサブフレームにセンシング結果がない場合、例えば該端末装置２０がこれらのサブフレームにおいてそのデータを伝送している場合、選択窓内の対応位置のこれらのサブフレーム上のリソースが候補リソースセットから排除される。
【０１７５】
（２）端末装置２０は、１ｓ前のセンシング窓において端末装置３０の送信した物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）を検出し、該ＰＳＣＣＨに対応する物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）の基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）の測定値が所定閾値より高く、しかも検出された該ＰＳＣＣＨには、該ＰＳＣＣＨを送信する端末装置３０が次回伝送するために必要な時間周波数リソースをリザーブしたことを示す場合、端末装置２０は、選択窓内の端末装置３０のリザーブした時間周波数リソースが、該選択窓において選択したデータを伝送するための時間周波数リソースと重なっているかどうかを判断し、重なっている場合、つまりリソース衝突が生じる場合、端末装置２０は選択窓に内の該時間周波数リソースを候補リソースセットから排除する。
【０１７６】
理解すべきこととして、端末装置２０が該選択窓においてデータを伝送するための該時間周波数リソースを選択しており、しかも時間サイクルＴ３上に分布される複数の該時間周波数リソースにおいていずれもデータを伝送する必要がある場合、それに対して端末装置３０が時間サイクルＴ２上に分布される複数の該時間周波数リソースをリザーブしており、時間サイクルＴ３がＴ３×Ｍ＝Ｔ２×Ｎを満足し、ＭとＮが正の整数であれば、端末装置２０は時間サイクルＴ３上に分布される複数の該時間周波数リソースを該候補リソースセットから排除する。
【０１７７】
（３）端末装置２０は候補リソースセットにおける残りのリソースに対して受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）の測定を行って、測定結果の降順でソートし、エネルギーがある閾値より高いリソースを候補リソースセットから排除し、例えば測定電力の高い上位８０％のリソースが候補リソースセットから排除される。
【０１７８】
（４）端末装置２０は最後の残りの該候補リソースセットから１つの時間周波数リソースをランダムに選択してデータ伝送を行うことに用いられる。
【０１７９】
理解すべきこととして、ここで、ある制御チャネルに対応するデータチャネルの占有した時間周波数リソースを、該データチャネルを伝送するための１つの時間周波数リソース（又は、１つのリソースブロック）として称し、各選択窓における候補リソースセットには該データチャネルを伝送するための複数の時間周波数リソースがあってもよい。例えば、図３におけるリソースＡ１とＢ１がいずれも１つの時間周波数リソースと称されてもよい。
【０１８０】
端末装置２０がデータ伝送のための時間周波数リソースを選択した後、後続の伝送過程において該時間周波数リソースをＣ＿ｒｅｓｅｌ回使用することになり、Ｃ＿ｒｅｓｅｌがリソース再選択カウンター（Ｒｅｓｏｕｒｃｅ  Ｒｅｓｅｌｅｃｔｉｏｎ  Ｃｏｕｎｔｅｒ）であり、データを伝送するたびに、Ｃ＿ｒｅｓｅｌの値から１を引き、Ｃ＿ｒｅｓｅｌの値が０まで引かれる場合、端末装置２０は［０，１］の間にあるランダム数を生成して、リソース保持確率（Ｐｒｏｂａｂｉｌｉｔｙ  Ｒｅｓｏｕｒｃｅ  Ｋｅｅｐ、ＰｒｏｂＲｅｓｏｕｒｃｅＫｅｅｐ）パラメータと比較し、該パラメータは端末装置が該リソースを使用し続ける確率を示し、該ランダム数の値が該パラメータより大きい場合、端末装置２０はリソース再選択を行い、該ランダム数の値が該パラメータより小さい場合、端末装置２０は該時間周波数リソースを使用し続けてデータ伝送を行って、Ｃ＿ｒｅｓｅｌの値を同時にリセットしてもよい。
【０１８１】
マルチキャリア伝送をサポートする車のネットワークシステムにおいて、端末装置は伝送モード３、それとも伝送モード４を用いるかにかかわらず、いずれも候補の複数のキャリアにおける１つ又は複数のキャリアを使用して現在のデータ伝送を行うことができる。伝送モード４を用いる端末装置は複数の候補のキャリアから１つ又は複数のキャリアを選択して現在のデータ伝送を行うことに用いられてもよいが、伝送モード３を用いる端末装置は基地局の選択した１つ又は複数のキャリアに基づいて現在のデータ伝送を行うことに用いられてもよい。
【０１８２】
端末装置はシステムの輻輳状態を測定し、例えばチャネル占有率（ＣＢＲ：Ｃｈａｎｎｅｌ  Ｂｕｓｙ  Ｒａｔｉｏ）を測定することができ、基地局は端末装置が測定結果を基地局に報告するように指示することができ、それにより基地局は端末装置から報告されたＣＢＲに基づいて伝送パラメータ、例えば端末装置の許容する変調符号化方式（ＭＣＳ：Ｍｏｄｕｌａｔｉｏｎ  Ｃｏｄｉｎｇ  Ｍｏｄｅ）、使用可能な物理リソースブロック（ＰＢＲ：Ｐｈｙｓｉｃａｌ  ｒｅｓｏｕｒｃｅ  ｂｌｏｃｋ）の数範囲、再伝送回数等の伝送パラメータを設定する。
【０１８３】
該ＣＢＲは端末装置がキャリア選択を行うことに用いられてもよく、例えば、端末装置は複数のキャリアのＣＢＲ測定結果に基づき、ＣＢＲの最も低い１つのキャリアを選択してデータ伝送を行ってもよい。しかしながら、各キャリアのＣＢＲは端末装置の移動とともに迅速に変化し、又は該ＣＢＲは時間の変化につれて変化することになり、これにより、端末装置はキャリア選択を行うたびに、複数のキャリアを頻繁に切り替える可能性があり、このため、システムの不安定を引き起こしてしまう。
【０１８４】
そして、本願の実施例に係るキャリア選択方法、端末装置又はネットワーク装置はＣＢＲを適切に処理して、処理後のＣＢＲに基づいてキャリア選択を行うことができ、それにより効果的なキャリア選択を実現するとともに、システムの安定性を維持することができる。
【０１８５】
図４は本願の実施例のキャリア選択方法のフローチャートである。図４に示される方法は通信装置により実行されてもよく、該通信装置は端末装置又はネットワーク装置を備え、該端末装置は例えば図２に示される端末装置２０又は端末装置３０であってもよく、該ネットワーク装置は例えば図１又は図２に示されるネットワーク装置１０であってもよい。以下、端末装置を例として説明するが、本願に記載の方法もネットワーク装置等により実行されてもよい。図４に示すように、該キャリア選択方法は、
候補の複数のキャリアのチャネル占有率（ＣＢＲ）を取得する４１０と、
該複数のキャリアのＣＢＲをフィルタリング処理して、フィルタリング後の該複数のキャリアのＣＢＲを取得する４２０と、
フィルタリング後の該複数のキャリアのＣＢＲに基づき、該複数のキャリアからキャリア選択を行う４３０と、を含む。
【０１８６】
具体的に、端末装置はデータ伝送に使用できる複数のキャリアのＣＢＲを取得して、候補の複数のキャリアのＣＢＲをフィルタリング処理して、フィルタリング処理後の該複数のキャリアのＣＢＲを取得する。その後、使用しようとするキャリアを選択するよう、フィルタリング後の該複数のキャリアのＣＢＲに基づき、該複数のキャリアからキャリア選択を行う。選択された使用しようとするキャリアが端末装置の現在使用しているキャリアと同じである場合、キャリアの切り替えを行わなくてもよく、そうでない場合、キャリアの切り替えを行う。
【０１８７】
各キャリアのＣＢＲは端末装置の位置の変化につれて迅速に変化し、又は時間の変化につれて変化する可能性があるため、各キャリアのＣＢＲの測定値をフィルタリング処理することにより、各キャリアのＣＢＲの変化が安定化し、それによりキャリア選択を実現するとともに、キャリアの切り替え頻度を低減し、システムの安定性を確保する。
【０１８８】
該複数のキャリアのうちの各キャリアのＣＢＲは端末装置が各キャリアにおいて使用するリソースプールのＣＢＲである。
【０１８９】
更に、好ましくは、端末装置が各キャリアにおいて使用するリソースプールは複数のリソースプールのうちの該端末の位置するゾーン（即ち、地理的ゾーン）に対応するリソースプールであり、この複数のリソースプールと複数のゾーンとが対応関係を有する。
【０１９０】
具体的に、複数の地理的ゾーンを分割してもよく、この複数の地理的ゾーンと複数のリソースプールとが対応関係を有し、端末装置が各キャリアにおいてデータを伝送する際に使用したリソースプールは端末装置の現在位置する地理的ゾーンに対応するリソースプールである。端末装置が該リソースプールを使用してネットワーク装置とデータ伝送を行う場合、端末装置の測定したＣＢＲが該リソースプールのＣＢＲであり、つまり、端末装置の測定したＣＢＲが該リソースプールにおけるチャネルリソースのＣＢＲである。端末装置が異なる地理的ゾーンに位置する場合、各キャリアにおいて使用されるリソースプールが異なる可能性もある。
【０１９１】
複数の地理的ゾーンと複数のリソースプールとの対応関係は例えばマッピングテーブル、公式等の方式で示されてもよく、本願の実施例は制限しない。且つ、１つの地理的ゾーンが１つ又は複数のリソースプールに対応してもよく、１つのリソースプールが１つ又は複数の地理的ゾーンに対応してもよく、又は、該複数の地理的ゾーンと複数のリソースプールとが１対１に対応する。
【０１９２】
好ましくは、該方法が端末装置により実行される場合、４１０において、候補の複数のキャリアのＣＢＲを取得することは、該端末装置が該複数のキャリアのＣＢＲを測定して、該複数のキャリアのＣＢＲを取得することを含む。
【０１９３】
例えば、端末装置が該複数のキャリアのＣＢＲを測定して高位層に報告し、高位層が最低層の報告した該複数のキャリアのＣＢＲをフィルタリング処理する。端末装置がフィルタリング後の該複数のキャリアのＣＢＲに基づいてキャリア選択を行う。
【０１９４】
又は、好ましくは、該方法が端末装置により実行される場合、４１０において、候補の複数のキャリアのＣＢＲを取得することは、該端末装置がネットワーク装置から送信された、候補の該複数のキャリアのＣＢＲを運搬するブロードキャストメッセージを受信することを含む。
【０１９５】
好ましくは、該方法がネットワーク装置により実行される場合、４１０において、候補の複数のキャリアのＣＢＲを取得することは、該ネットワーク装置が端末装置から報告された該複数のキャリアのＣＢＲを受信することを含む。
【０１９６】
例えば、ネットワーク装置は端末装置が各キャリアのＣＢＲを測定して測定結果をネットワーク装置に報告するように指示してもよい。
【０１９７】
好ましくは、４２０において、該複数のキャリアのＣＢＲをフィルタリング処理することは、該複数のキャリアのＣＢＲに対して平滑化フィルタリングを行うことを含む。
【０１９８】
本願の実施例は平滑化フィルタリング方式を制限しない。
【０１９９】
例えば、該平滑化フィルタリング方式はＣＢＲ＿ｎｅｗ＝ａ×ＣＢＲ＿ｏｌｄ＋（１−ａ）×ＣＢＲ＿ｃｕｒｒｅｎｔであってもよい。
【０２００】
ＣＢＲ＿ｎｅｗがフィルタリング後の各キャリアのＣＢＲであり、ＣＢＲ＿ｃｕｒｒｅｎｔがフィルタリング前の各キャリアのＣＢＲであり、ＣＢＲ＿ｏｌｄが前回のキャリア選択時にフィルタリングされた各キャリアのＣＢＲであり、ａがフィルタリング係数であって０≦ａ≦１である。
【０２０１】
以上によれば、適切なフィルタリング方式で測定されたＣＢＲをフィルタリングするため、ＣＢＲが迅速に変化することによる頻繁なキャリアの切り替えを回避する。
【０２０２】
好ましくは、４３０において、フィルタリング後の該複数のキャリアのＣＢＲに基づき、該複数のキャリアからキャリア選択を行うことは、フィルタリング後の該複数のキャリアのＣＢＲに基づき、該複数のキャリアからフィルタリング後のＣＢＲが最も小さいキャリアを使用しようとするキャリアとして選択することを含む。
【０２０３】
以上のキャリア選択方法によれば、本願の実施例は更に具体的な端末装置又はネットワーク装置によるキャリア選択方法を５つ提供し、以下に端末装置を例として説明する。
【０２０４】
方式１
好ましくは、４３０の前、つまり、フィルタリング後の該複数のキャリアのＣＢＲに基づき、該複数のキャリアからキャリア選択を行う前に、該方法は、更に、フィルタリング後の第１キャリアのＣＢＲとフィルタリング後の第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることを含む。
【０２０５】
４３０において、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことを含む。
【０２０６】
該実施例では、現在のキャリアと他のキャリアとのＣＢＲの差に基づいてキャリア選択を行うかどうかを判断して、ＣＢＲの差が条件を満足する場合、フィルタリング処理後のＣＢＲに基づいてキャリア選択を行い、それにより更にキャリアの切り替え頻度を低減し、システムの安定性を確保する。
【０２０７】
好ましくは、該方法が端末装置により実行される場合、フィルタリング後の第１キャリアのＣＢＲとフィルタリング後の第２キャリアのＣＢＲとの差値が第１閾値を超えるかどうかを判定する前に、該方法は、更に、端末装置が該端末装置に予め設定された該第１閾値を取得し、又は、端末装置がネットワーク装置から送信された、該第１閾値を含む設定情報を受信することを含む。
【０２０８】
好ましくは、該方法がネットワーク装置により実行される場合、該方法は、更に、ネットワーク装置が該第１閾値を含む設定情報を端末装置に送信することを含む。
【０２０９】
例えば、候補の該複数のキャリアの数がＮであり、Ｎが２以上の正の整数である。Ｎ個のキャリアそれぞれのＣＢＲ測定値がそれぞれＣＢＲ１、ＢＣＲ２・・・ＣＢＲＮと示される。端末装置の現在使用しているキャリアのＣＢＲがＣＢＲ１であると仮定し、Ｎ個のＣＢＲにおけるいずれか１つのＣＢＲｋに対して、｜ＣＢＲ１−ＣＢＲｋ｜＞Ｂを満足し、Ｂが所定閾値である場合、端末装置がキャリア選択を行うようにトリガーし、例えば、端末装置はＮ個のキャリアのＣＢＲを測定してフィルタリングし、フィルタリング後のＮ個のキャリアのＣＢＲに基づき、Ｎ個のキャリアからＣＢＲが最も小さいキャリアを使用しようとするキャリアとして選択する。ここで、第１閾値Ｂは端末装置又はネットワーク装置に予め設定された、例えばプロトコルに決められたものであり、ネットワーク装置は更に設定情報によって端末装置に該第１閾値Ｂを示してもよい。
【０２１０】
更に、好ましくは、４３０において、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０２１１】
つまり、フィルタリング後の該第１キャリアのＣＢＲとフィルタリング後の該第２キャリアのＣＢＲとの差値が該第１閾値を超える場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０２１２】
好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、該複数のキャリアからキャリア選択を行うことを含む。
【０２１３】
更に、好ましくは、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０２１４】
つまり、フィルタリング後の該第１キャリアのＣＢＲとフィルタリング後の該第２キャリアのＣＢＲとの差値が該第１閾値を超えて該所定時間長で持続する場合、該複数のキャリアからＣＢＲが条件を満足するキャリアを選択して、条件を満足するキャリアから使用しようとするキャリアを選択し、ここで記載される条件はこれらのキャリアのＣＢＲと第１キャリアのＣＢＲとの差が第１閾値を超える。
【０２１５】
好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超えて、フィルタリング後の第１キャリアのＣＢＲが第２閾値より大きい場合、フィルタリング後の該複数のキャリアのＣＢＲに基づき、該複数のキャリアからキャリア選択を行うことを含む。
【０２１６】
又は、好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、フィルタリング後のＣＢＲが該第２閾値以下であるキャリアからキャリア選択を行うことを含む。
【０２１７】
他の場合もあり、つまり、フィルタリング後の該第１キャリアのＣＢＲとフィルタリング後の該第２キャリアのＣＢＲとの差値が該第１閾値を超えていない場合、好ましくは、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超えていない場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからいずれか１つのキャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからフィルタリング後のＣＢＲが最も小さいキャリアを使用しようとするキャリアとして選択することを含む。
【０２１８】
方式２
好ましくは、４３０において、フィルタリング後の該複数のキャリアのＣＢＲに基づき、該複数のキャリアからキャリア選択を行うことは、リソース再選択カウンター（Ｃ＿ｒｅｓｅｌ）の値が０に等しい場合、フィルタリング後の該複数のキャリアのＣＢＲに基づき、該複数のキャリアからキャリア選択を行うことを含む。
【０２１９】
該実施例では、キャリア選択過程はＰｒｏｂＲｅｓｏｕｒｃｅＫｅｅｐパラメータに依存せず、リソース再選択カウンター（Ｃ＿ｒｅｓｅｌ）に基づいて現在キャリア選択を行う必要があるかどうかを判定して、キャリア選択を行う必要がある場合、フィルタリング処理後のＣＢＲに基づいてキャリア選択を行うものであり、これにより、キャリアの切り替え頻度を低減し、システムの安定性を確保する。
【０２２０】
好ましくは、該複数のキャリアのうちの各キャリアには１つの対応するＣ＿ｒｅｓｅｌが設定され、該Ｃ＿ｒｅｓｅｌの値が０に等しい場合、該複数のキャリアのＣＢＲに基づき、該複数のキャリアからキャリア選択を行うことは、該複数のキャリアに設定された複数のＣ＿ｒｅｓｅｌのうちの現在データ伝送に使用されるキャリア（第１キャリア）に対応するＣ＿ｒｅｓｅｌの値が０に等しい場合、該複数のキャリアのＣＢＲに基づき、該複数のキャリアからキャリア選択を行うことを含む。
【０２２１】
つまり、端末装置は各キャリアにおけるＨＡＲＱプロセスにいずれも独立したＣ＿ｒｅｓｅｌを設定してもよく、現在データ伝送に使用されるキャリア（第１キャリア）に対応するＣ＿ｒｅｓｅｌの値が０に等しい場合、端末装置がキャリア選択を行うようにトリガーしてもよい。
【０２２２】
又は、好ましくは、該複数のキャリアに同じＣ＿ｒｅｓｅｌが設定され、該Ｃ＿ｒｅｓｅｌの値が０に等しい場合、該複数のキャリアのＣＢＲに基づき、該複数のキャリアからキャリア選択を行うことは、該同じＣ＿ｒｅｓｅｌの値が０に等しい場合、該複数のキャリアのＣＢＲに基づき、該複数のキャリアからキャリア選択を行うことを含む。
【０２２３】
つまり、端末装置は該複数のキャリアのＨＡＲＱに同じＣ＿ｒｅｓｅｌを設定してもよく、該Ｃ＿ｒｅｓｅｌ＝０の場合、端末装置がキャリア選択を行うようにトリガーする。
【０２２４】
方式３
好ましくは、４３０の前、つまり、フィルタリング後の該複数のキャリアのＣＢＲに基づき、該複数のキャリアからキャリア選択を行う前に、該方法は、更に、該Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることを含み、
４３０において、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことを含む。
【０２２５】
該実施例では、リソースＣ＿ｒｅｓｅｌに基づいて現在キャリア選択を行う必要があるかどうかを判定して、キャリア選択を行う必要がある場合、現在のキャリアと他のキャリアとのＣＢＲの差が条件を満足するかどうかを判断し、且つ、ＣＢＲの差が条件を満足する場合、フィルタリング処理後のＣＢＲに基づいてキャリア選択を行い、それにより更にキャリアの切り替え頻度を低減し、システムの安定性を確保する。
【０２２６】
具体的に、Ｃ＿ｒｅｓｅｌの値が０に等しい場合、端末装置がＣＢＲ差値の判断を行うようにトリガーし、フィルタリング後の第１キャリアとフィルタリング後の第２キャリアとの該ＣＢＲ差値が第１閾値を超える場合、端末装置が候補の複数のキャリアからキャリア選択を行う。
【０２２７】
更に、好ましくは、４３０において、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０２２８】
つまり、フィルタリング後の該第１キャリアのＣＢＲとフィルタリング後の該第２キャリアのＣＢＲとの差値が該第１閾値を超える場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０２２９】
好ましくは、４３０において、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超え、しかも所定時間長で持続するとした場合、該複数のキャリアのＣＢＲに基づき、該複数のキャリアからキャリア選択を行うことを含む。
【０２３０】
更に、好ましくは、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超えて該所定時間長で持続する場合、フィルタリング後の該複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０２３１】
つまり、フィルタリング後の該第１キャリアのＣＢＲとフィルタリング後の該第２キャリアのＣＢＲとの差値が該第１閾値を超えて該所定時間長で持続する場合、該複数のキャリアからＣＢＲが条件を満足するキャリアを選択して、条件を満足するキャリアから使用しようとするキャリアを選択してもよく、ここで記載される条件はこれらのキャリアのフィルタリング後のＣＢＲと第１キャリアのフィルタリング後のＣＢＲとの差が第１閾値を超える。
【０２３２】
好ましくは、４３０において、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超えて、フィルタリング後の該第１キャリアのＣＢＲが第２閾値より大きい場合、該複数のキャリアのＣＢＲに基づき、該複数のキャリアからキャリア選択を行うことを含む。
【０２３３】
更に、好ましくは、４３０において、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、フィルタリング後のＣＢＲが該第２閾値以下であるキャリアからキャリア選択を行うことを含む。
【０２３４】
他の場合もあり、つまり、フィルタリング後の該第１キャリアのＣＢＲとフィルタリング後の該第２キャリアのＣＢＲとの差値が該第１閾値を超えていない場合、好ましくは、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超えていない場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからいずれか１つのキャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからフィルタリング後のＣＢＲが最も小さいキャリアを使用しようとするキャリアとして選択することを含む。
【０２３５】
好ましくは、該方法が端末装置により実行され、フィルタリング後の第１キャリアのＣＢＲとフィルタリング後の第２キャリアのＣＢＲとの差値が第１閾値を超えるかどうかを判定する前に、該方法は、更に、端末装置が該端末装置に予め設定された該第１閾値を取得し、又は、端末装置がネットワーク装置から送信された、該第１閾値を含む設定情報を受信することを含む。
【０２３６】
好ましくは、該方法がネットワーク装置により実行され、該方法は、更に、ネットワーク装置が該第１閾値を含む設定情報を端末装置に送信することを含む。
【０２３７】
好ましくは、該複数のキャリアのうちの各キャリアには１つの対応するＣ＿ｒｅｓｅｌが設定され、該Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定することは、該複数のキャリアに設定された複数のＣ＿ｒｅｓｅｌのうちの現在データ伝送に使用されるキャリア（第１キャリア）に対応するＣ＿ｒｅｓｅｌの値が０に等しい場合、フィルタリング後の該第１キャリアのＣＢＲとフィルタリング後の該第２キャリアのＣＢＲとの差値が該第１閾値を超えるかどうかを判定することを含む。
【０２３８】
好ましくは、該複数のキャリアに同じＣ＿ｒｅｓｅｌが設定され、該Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定することは、該同じＣ＿ｒｅｓｅｌの値が０に等しい場合、フィルタリング後の該第１キャリアのＣＢＲとフィルタリング後の該第２キャリアのＣＢＲとの差値が該第１閾値を超えるかどうかを判定することを含む。
【０２３９】
方式４
好ましくは、該方法は、更に、フィルタリング後の第１キャリアのＣＢＲが第３閾値を超えるかどうかを判定し、該第１キャリアが現在データ伝送に使用されるキャリアであることを含む。
【０２４０】
４３０において、フィルタリング後の該複数のキャリアのＣＢＲに基づき、該複数のキャリアからキャリア選択を行うことは、フィルタリング後の該第１キャリアのＣＢＲが該第３閾値を超える場合、フィルタリング後の該複数のキャリアのＣＢＲに基づき、該複数のキャリアからキャリア選択を行うことを含む。
【０２４１】
好ましくは、第１キャリアのＣＢＲが第３閾値を超えていない場合、キャリア選択を行わずに、該第１キャリアを使用してもよい。
【０２４２】
好ましくは、候補の該複数のキャリアが該第１キャリアを含む。
【０２４３】
好ましくは、候補の該複数のキャリアが該第１キャリアを含まない。
【０２４４】
該実施例では、複数のキャリアのＣＢＲの測定結果をフィルタリング処理して、フィルタリング後の現在のキャリアのＣＢＲが所定閾値を超えるかどうかによってキャリア選択を行うかどうかを判断し、フィルタリング後の現在のキャリアのＣＢＲが該閾値より大きい場合、該複数のキャリアからキャリア選択を行うため、キャリア選択を実現するとともに、更にキャリアの切り替え頻度を低減し、システムの安定性を確保する。
【０２４５】
方式５
好ましくは、該方法は、更に、Ｃ＿ｒｅｓｅｌの値が０に等しい場合、フィルタリング後の第１キャリアのＣＢＲが第３閾値を超えるかどうかを判定し、該第１キャリアが現在データ伝送に使用されるキャリアであることを含む。
【０２４６】
４３０において、フィルタリング後の該複数のキャリアのＣＢＲに基づき、該複数のキャリアからキャリア選択を行うことは、フィルタリング後の該第１キャリアのＣＢＲが該第３閾値を超える場合、フィルタリング後の該複数のキャリアのＣＢＲに基づき、該複数のキャリアからキャリア選択を行うことを含む。
【０２４７】
好ましくは、第１キャリアのＣＢＲが第３閾値を超えていない場合、キャリア選択を行わずに、該第１キャリアを使用してもよい。
【０２４８】
好ましくは、候補の該複数のキャリアが該第１キャリアを含む。
【０２４９】
好ましくは、候補の該複数のキャリアが該第１キャリアを含まない。
【０２５０】
該実施例では、キャリア選択過程はＰｒｏｂＲｅｓｏｕｒｃｅＫｅｅｐパラメータに依存せず、リソース再選択カウンター（Ｃ＿ｒｅｓｅｌ）に基づき、Ｃ＿ｒｅｓｅｌ＝０の場合、端末装置がキャリア選択を行うようにトリガーするものであり、それにより複数のキャリアのＣＢＲの測定結果をフィルタリング処理して、フィルタリング後の現在のキャリアのＣＢＲが所定閾値を超えるかどうかによってキャリア選択を行うかどうかを判断し、フィルタリング後の現在のキャリアのＣＢＲが該閾値より大きい場合、キャリア選択を行い、従って、効果的なキャリア選択を実現するとともに、システムの複雑度を低減する。
【０２５１】
好ましくは、該方法が端末装置により実行され、該方法は、更に、該端末装置が該端末装置に予め設定された該第３閾値を取得し、又は、該端末装置がネットワーク装置から送信された、該第３閾値を含む設定情報を受信することを含む。
【０２５２】
好ましくは、該方法がネットワーク装置により実行され、該方法は、更に、該ネットワーク装置が該第３閾値を含む設定情報を端末装置に送信することを含む。
【０２５３】
好ましくは、該複数のキャリアのうちの各キャリアには１つの対応するＣ＿ｒｅｓｅｌが設定され、該Ｃ＿ｒｅｓｅｌの値が０に等しい場合、フィルタリング後の第１キャリアのＣＢＲが第３閾値を超えるかどうかを判定することは、該複数のキャリアに設定された複数のＣ＿ｒｅｓｅｌのうちの現在データ伝送に使用されるキャリアに対応するＣ＿ｒｅｓｅｌの値が０に等しい場合、フィルタリング後の該第１キャリアのＣＢＲが該第３閾値を超えるかどうかを判定することを含む。
【０２５４】
好ましくは、該複数のキャリアに同じＣ＿ｒｅｓｅｌが設定され、該Ｃ＿ｒｅｓｅｌの値が０に等しい場合、フィルタリング後の第１キャリアのＣＢＲが第３閾値を超えるかどうかを判定することは、該同じＣ＿ｒｅｓｅｌの値が０に等しい場合、フィルタリング後の該第１キャリアのＣＢＲが該第３閾値を超えるかどうかを判定することを含む。
【０２５５】
理解すべきこととして、本願の実施例におけるキャリア選択方法は異なる伝送モード（例えば、上記伝送モード３又は伝送モード４）を用いる端末装置に適用されてもよい。端末装置が伝送モード３を用いる場合、ネットワーク装置が上記方法に基づいてキャリア選択を行って端末装置に通知してもよく、端末装置が伝送モード４を用いる場合、該端末装置が上記方法によってキャリア選択を自主的に行ってもよい。ネットワーク装置がキャリア選択を行う詳細な過程は上記端末装置がキャリア選択を行う過程を参照してもよく、簡潔のため、ここで詳細な説明は省略する。
【０２５６】
図５は本願の他の実施例のキャリア選択方法のフローチャートである。図５に示される方法は通信装置により実行されてもよく、該通信装置は端末装置又はネットワーク装置を備え、該端末装置は例えば図２に示される端末装置２０又は端末装置３０であってもよく、該ネットワーク装置は例えば図１又は図２に示されるネットワーク装置１０であってもよい。以下に端末装置を例として説明するが、本願に記載の方法もネットワーク装置等により実行されてもよい。図５に示すように、該キャリア選択方法は、
候補の複数のキャリアのＣＢＲを取得する５１０と、
第１キャリアのＣＢＲと第２キャリアのＣＢＲとの差値が第１閾値を超えるかどうかを判定し、
該第１キャリアが現在データ伝送に使用されるキャリアであり、該第２キャリアが該複数のキャリアのうちの該第１キャリア以外のいずれか１つのキャリアである５２０と、
該第１キャリアのＣＢＲと該第２キャリアのＣＢＲとの差値が第１閾値を超える場合、該複数のキャリアからキャリア選択を行う５３０と、を含む。
【０２５７】
具体的に、端末装置は候補の複数のキャリアのＣＢＲの測定結果を取得して、現在データ伝送に使用される第１キャリアのＣＢＲと他のキャリアのＣＢＲとの差を計算し、第１キャリアのＣＢＲと他のいずれか１つのキャリアのＣＢＲとの差値が第１閾値より大きい場合、端末装置がキャリア選択を行うようにトリガーし、キャリア選択を行うとき、端末装置は該複数のキャリアのＣＢＲに基づき、該複数のキャリアから使用しようとするキャリアを選択してもよい。選択された使用しようとするキャリアが端末装置の現在使用しているキャリアと同じである場合、キャリアの切り替えを行わなくてもよく、そうでない場合、キャリアの切り替えを行う。
【０２５８】
例えば、候補の該複数のキャリアの数がＮであり、Ｎが２以上の正の整数である。Ｎ個のキャリアそれぞれのＣＢＲ測定値がそれぞれＣＢＲ１、ＢＣＲ２・・・ＣＢＲＮと示される。端末装置の現在使用しているキャリアのＣＢＲがＣＢＲ１であると仮定し、Ｎ個のＣＢＲにおけるいずれか１つのＣＢＲｋに対して、｜ＣＢＲ１−ＣＢＲｋ｜＞Ｂを満足し、Ｂが所定閾値である場合、端末装置がキャリア選択を行うようにトリガーし、例えば端末装置がＮ個のキャリアのＣＢＲを測定し、得られたＮ個のキャリアのＣＢＲに基づき、Ｎ個のキャリアからＣＢＲが最も小さいキャリアを使用しようとするキャリアとして選択する。
【０２５９】
該複数のキャリアのうちの各キャリアのＣＢＲは端末装置が各キャリアにおいて使用するリソースプールのＣＢＲである。
【０２６０】
更に、好ましくは、５３０において、該第１キャリアのＣＢＲと該第２キャリアのＣＢＲとの差値が第１閾値を超える場合、該複数のキャリアのＣＢＲに基づき、該複数のキャリアからキャリア選択を行うことは、
該第１キャリアのＣＢＲと該第２キャリアのＣＢＲとの差値が第１閾値を超える場合、該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０２６１】
つまり、該第１キャリアのＣＢＲと該第２キャリアのＣＢＲとの差値が該第１閾値を超える場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０２６２】
好ましくは、端末装置が各キャリアにおいて使用するリソースプールは複数のリソースプールのうちの該端末の位置するゾーン（即ち、地理的ゾーン）に対応するリソースプールであり、この複数のリソースプールと複数のゾーンとが対応関係を有する。
【０２６３】
具体的に、複数の地理的ゾーンを分割してもよく、この複数の地理的ゾーンと複数のリソースプールとが対応関係を有し、端末装置が各キャリアにおいてデータを伝送する際に使用したリソースプールは端末装置の現在位置する地理的ゾーンに対応するリソースプールである。端末装置が該リソースプールを使用してネットワーク装置とデータ伝送を行う場合、端末装置の測定したＣＢＲが該リソースプールのＣＢＲであり、つまり、端末装置の測定したＣＢＲが該リソースプールにおけるチャネルリソースのＣＢＲである。端末装置が異なる地理的ゾーンに位置する場合、各キャリアにおいて使用されるリソースプールが異なる可能性もある。
【０２６４】
複数の地理的ゾーンと複数のリソースプールとの対応関係は例えばマッピングテーブル、公式等の方式で示されてもよく、本願の実施例は制限しない。且つ、１つの地理的ゾーンが１つ又は複数のリソースプールに対応してもよく、１つのリソースプールが１つ又は複数の地理的ゾーンに対応してもよく、又は、該複数の地理的ゾーンと複数のリソースプールとが１対１に対応する。
【０２６５】
好ましくは、該方法が端末装置により実行される場合、５１０において、候補の複数のキャリアのＣＢＲを取得することは、端末装置が該複数のキャリアのＣＢＲを測定して、該複数のキャリアのＣＢＲを取得することを含む。
【０２６６】
好ましくは、該方法が端末装置により実行される場合、５１０において、候補の複数のキャリアのＣＢＲを取得することは、該端末装置がネットワーク装置から送信された、候補の該複数のキャリアのＣＢＲを運搬するブロードキャストメッセージを受信することを含む。
【０２６７】
好ましくは、該方法が端末装置により実行される場合、５２０の前、つまり、第１キャリアのＣＢＲと第２キャリアのＣＢＲとの差値が第１閾値を超えるかどうかを判定する前に、該方法は、更に、端末装置が端末装置に予め設定された該第１閾値を取得し、又は、端末装置がネットワーク装置から送信された、該第１閾値を含む設定情報を受信することを含む。
【０２６８】
好ましくは、該方法がネットワーク装置により実行される場合、５１０において、候補の複数のキャリアのＣＢＲを取得することは、ネットワーク装置が端末装置から報告された該複数のキャリアのＣＢＲを受信することを含む。
【０２６９】
好ましくは、該方法がネットワーク装置により実行される場合、該方法は、更に、ネットワーク装置が該第１閾値を含む設定情報を端末装置に送信することを含む。
【０２７０】
好ましくは、５２０において、第１キャリアのＣＢＲと第２キャリアのＣＢＲとの差値が第１閾値を超えるかどうかを判定することは、Ｃ＿ｒｅｓｅｌの値が０に等しい場合、該第１キャリアのＣＢＲと該第２キャリアのＣＢＲとの差値が該第１閾値を超えるかどうかを判定することを含む。
【０２７１】
該実施例では、キャリア選択過程はＰｒｏｂＲｅｓｏｕｒｃｅＫｅｅｐパラメータに関連せず、つまり、ＰｒｏｂＲｅｓｏｕｒｃｅＫｅｅｐパラメータから独立したものである。端末装置はＣ＿ｒｅｓｅｌに基づいて現在キャリア選択を行う必要があるかどうかを判定して、キャリア選択を行う必要がある場合、現在のキャリアと他のキャリアとのＣＢＲの差が条件を満足するかどうかを判断し、且つ、ＣＢＲの差が条件を満足する場合、異なるキャリアのＣＢＲに基づいてキャリア選択を行い、それによりキャリアの切り替え頻度を低減し、システムの安定性を確保する。
【０２７２】
好ましくは、該複数のキャリアのうちの各キャリアには１つの対応するＣ＿ｒｅｓｅｌが設定され、該Ｃ＿ｒｅｓｅｌの値が０に等しい場合、第１キャリアのＣＢＲと第２キャリアのＣＢＲとの差値が第１閾値を超えるかどうかを判定することは、該複数のキャリアに設定された複数のＣ＿ｒｅｓｅｌにおける現在データ伝送に使用されるキャリア（第１キャリア）に対応するＣ＿ｒｅｓｅｌの値が０に等しい場合、該第１キャリアのＣＢＲと該第２キャリアのＣＢＲとの差値が該第１閾値を超えるかどうかを判定することを含む。
【０２７３】
つまり、端末装置は各キャリアにおけるＨＡＲＱプロセスにいずれも独立したＣ＿ｒｅｓｅｌを設定してもよく、いずれか１つのキャリアに対応するＣ＿ｒｅｓｅｌ＝０の場合、端末装置がキャリア選択を行うようにトリガーしてもよい。
【０２７４】
好ましくは、該複数のキャリアに同じＣ＿ｒｅｓｅｌが設定され、Ｃ＿ｒｅｓｅｌの値が０に等しい場合、第１キャリアのＣＢＲと第２キャリアのＣＢＲとの差値が第１閾値を超えるかどうかを判定することは、該同じＣ＿ｒｅｓｅｌの値が０に等しい場合、該第１キャリアのＣＢＲと該第２キャリアのＣＢＲとの差値が該第１閾値を超えるかどうかを判定することを含む。
【０２７５】
つまり、端末装置は該複数のキャリアのＨＡＲＱに同じＣ＿ｒｅｓｅｌを設定してもよく、該Ｃ＿ｒｅｓｅｌ＝０の場合、端末装置がキャリア選択を行うようにトリガーする。
【０２７６】
好ましくは、５３０において、該第１キャリアのＣＢＲと該第２キャリアのＣＢＲとの差値が第１閾値を超える場合、該複数のキャリアからキャリア選択を行うことは、該第１キャリアのＣＢＲと該第２キャリアのＣＢＲとの差値が第１閾値を超え、しかも所定時間長で持続するとした場合、該複数のキャリアからキャリア選択を行うことを含む。
【０２７７】
更に、好ましくは、５３０において、該第１キャリアのＣＢＲと該第２キャリアのＣＢＲとの差値が該第１閾値を超え、しかも所定時間長で持続するとした場合、該複数のキャリアのＣＢＲに基づき、該複数のキャリアからキャリア選択を行うことは、該第１キャリアのＣＢＲと該第２キャリアのＣＢＲとの差値が該第１閾値を超え、しかも所定時間長で持続するとした場合、該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０２７８】
つまり、該第１キャリアのＣＢＲと該第２キャリアのＣＢＲとの差値が該第１閾値を超えて該所定時間長で持続する場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０２７９】
好ましくは、５３０において、該第１キャリアのＣＢＲと該第２キャリアのＣＢＲとの差値が第１閾値を超える場合、該複数のキャリアからキャリア選択を行うことは、該第１キャリアのＣＢＲと該第２キャリアのＣＢＲとの差値が第１閾値を超えて、該第１キャリアのＣＢＲが第２閾値より大きい場合、該複数のキャリアからキャリア選択を行うことを含む。
【０２８０】
又は、好ましくは、５３０において、該第１キャリアのＣＢＲと該第２キャリアのＣＢＲとの差値が第１閾値を超える場合、該複数のキャリアからキャリア選択を行うことは、
該第１キャリアのＣＢＲと該第２キャリアのＣＢＲとの差値が該第１閾値を超えて、該第１キャリアのＣＢＲが第２閾値以下である場合、該第１キャリアを使用しようとするキャリアとして選択し、又は、
該第１キャリアのＣＢＲと該第２キャリアのＣＢＲとの差値が該第１閾値を超えて、該第１キャリアのＣＢＲが第２閾値以下である場合、ＣＢＲが該第２閾値以下であるキャリアからキャリア選択を行うことを含む。
【０２８１】
他の場合もあり、つまり、該第１キャリアのＣＢＲと該第２キャリアのＣＢＲとの差値が該第１閾値を超えていない場合、好ましくは、該複数のキャリアのＣＢＲに基づき、該複数のキャリアからキャリア選択を行うことは、
該第１キャリアのＣＢＲと該第２キャリアのＣＢＲとの差値が該第１閾値を超えていない場合、該第１キャリアを使用しようとするキャリアとして選択し、又は、
該第１キャリアのＣＢＲと該第２キャリアのＣＢＲとの差値が該第１閾値を超えていない場合、該複数のキャリアからいずれか１つのキャリアを使用しようとするキャリアとして選択し、又は、
該第１キャリアのＣＢＲと該第２キャリアのＣＢＲとの差値が該第１閾値を超えていない場合、該複数のキャリアからＣＢＲが最も小さいキャリアを使用しようとするキャリアとして選択することを含む。
【０２８２】
好ましくは、５３０において、該複数のキャリアからキャリア選択を行うことは、該複数のキャリアのＣＢＲに基づき、該複数のキャリアからＣＢＲが最も小さいキャリアを使用しようとするキャリアとして選択することを含む。
【０２８３】
端末装置が伝送モード３を用いる場合、ネットワーク装置が上記方法に基づいてキャリア選択を行って端末装置に通知してもよく、端末装置が伝送モード４を用いる場合、該端末装置が上記方法によってキャリア選択を自主的に行ってもよい。ネットワーク装置がキャリア選択を行う詳細な過程は上記端末装置がキャリア選択を行う過程を参照してもよく、簡潔のため、ここで詳細な説明は省略する。
【０２８４】
図６は本願の別の実施例のキャリア選択方法のフローチャートである。図６に示される方法は通信装置により実行されてもよく、該通信装置は端末装置又はネットワーク装置を備え、該端末装置は例えば図２に示される端末装置２０又は端末装置３０であってもよく、該ネットワーク装置は例えば図１又は図２に示されるネットワーク装置１０であってもよい。以下に端末装置を例として説明するが、本願に記載の方法もネットワーク装置等により実行されてもよい。図６に示すように、該キャリア選択方法は、
候補の複数のキャリアのＣＢＲを取得する６１０と、
リソース再選択カウンター（Ｃ＿ｒｅｓｅｌ）の値が０に等しい場合、該複数のキャリアのＣＢＲに基づき、該複数のキャリアからキャリア選択を行う６２０と、を含む。
【０２８５】
従って、キャリア選択過程はＰｒｏｂＲｅｓｏｕｒｃｅＫｅｅｐパラメータに依存せず、リソース再選択カウンター（Ｃ＿ｒｅｓｅｌ）に基づいて現在キャリア選択を行う必要があるかどうかを判定し、つまり、Ｃ＿ｒｅｓｅｌ＝０の場合、端末装置がキャリア選択を行うようにトリガーするものであり、それにより効果的なキャリア選択を実現し、システムの複雑度を低減する。
【０２８６】
該複数のキャリアのうちの各キャリアのＣＢＲは端末装置が各キャリアにおいて使用するリソースプールのＣＢＲである。
【０２８７】
更に、好ましくは、端末装置が各キャリアにおいて使用するリソースプールは複数のリソースプールのうちの該端末の位置するゾーン（即ち、地理的ゾーン）に対応するリソースプールであり、この複数のリソースプールと複数のゾーンとが対応関係を有する。
【０２８８】
具体的に、複数の地理的ゾーンを分割してもよく、この複数の地理的ゾーンと複数のリソースプールとが対応関係を有し、端末装置が各キャリアにおいてデータを伝送する際に使用したリソースプールは端末装置の現在位置する地理的ゾーンに対応するリソースプールである。端末装置が該リソースプールを使用してネットワーク装置とデータ伝送を行う場合、端末装置の測定したＣＢＲが該リソースプールのＣＢＲであり、つまり、端末装置の測定したＣＢＲが該リソースプールにおけるチャネルリソースのＣＢＲである。端末装置が異なる地理的ゾーンに位置する場合、各キャリアにおいて使用されるリソースプールが異なる可能性もある。
【０２８９】
複数の地理的ゾーンと複数のリソースプールとの対応関係は例えばマッピングテーブル、公式等の方式で示されてもよく、本願の実施例は制限しない。且つ、１つの地理的ゾーンが１つ又は複数のリソースプールに対応してもよく、１つのリソースプールが１つ又は複数の地理的ゾーンに対応してもよく、又は、該複数の地理的ゾーンと複数のリソースプールとが１対１に対応する。
【０２９０】
好ましくは、該方法が端末装置により実行される場合、６１０において、候補の複数のキャリアのＣＢＲを取得することは、端末装置が該複数のキャリアのＣＢＲを測定して、該複数のキャリアのＣＢＲを取得することを含む。
【０２９１】
具体的に、端末装置はＣ＿ｒｅｓｅｌの値が０に等しい場合、候補の複数のキャリアのＣＢＲを計算して、該複数のキャリアのＣＢＲに基づき、該複数のキャリアからキャリア選択を行ってもよい。
【０２９２】
好ましくは、該方法が端末装置により実行され、６１０において、候補の複数のキャリアのＣＢＲを取得することは、該端末装置がネットワーク装置から送信された、候補の該複数のキャリアのＣＢＲを運搬するブロードキャストメッセージを受信することを含む。
【０２９３】
好ましくは、該方法がネットワーク装置により実行される場合、６１０において、候補の複数のキャリアのＣＢＲを取得することは、ネットワーク装置が端末装置から報告された該複数のキャリアのＣＢＲを受信することを含む。
【０２９４】
具体的に、ネットワーク装置はＣ＿ｒｅｓｅｌの値が０に等しい場合、端末装置から報告された該複数のキャリアのＣＢＲに基づき、該複数のキャリアからキャリア選択を行ってもよい。
【０２９５】
好ましくは、該複数のキャリアのうちの各キャリアには１つの対応するＣ＿ｒｅｓｅｌが設定される。この時、６２０において、Ｃ＿ｒｅｓｅｌの値が０に等しい場合、該複数のキャリアのＣＢＲに基づいて該複数のキャリアからキャリア選択を行うことは、該複数のキャリアに設定された複数のＣ＿ｒｅｓｅｌのうちの現在データ伝送に使用されるキャリア（第１キャリア）に対応するＣ＿ｒｅｓｅｌの値が０に等しい場合、該複数のキャリアのＣＢＲに基づき、該複数のキャリアからキャリア選択を行うことを含む。
【０２９６】
好ましくは、該複数のキャリアに同じＣ＿ｒｅｓｅｌが設定される。この時、６２０において、Ｃ＿ｒｅｓｅｌの値が０に等しい場合、該複数のキャリアのＣＢＲに基づき、該複数のキャリアからキャリア選択を行うことは、該同じＣ＿ｒｅｓｅｌの値が０に等しい場合、該複数のキャリアのＣＢＲに基づき、該複数のキャリアからキャリア選択を行うことを含む。
【０２９７】
つまり、候補の複数のキャリアのうちの各キャリアにおけるＨＡＲＱプロセスには独立したリソース再選択カウンター（Ｃ＿ｒｅｓｅｌ）が設定されてもよく、現在データ伝送に使用されるキャリア（第１キャリア）に対応するＣ＿ｒｅｓｅｌの値が０に等しい場合、端末装置がキャリア選択を行うようにトリガーし、又は、すべてのキャリアのＨＡＲＱプロセスに同じＣ＿ｒｅｓｅｌが設定され、該Ｃ＿ｒｅｓｅｌが０に等しい場合、端末装置がキャリア選択を行うようにトリガーする。
【０２９８】
好ましくは、６２０において、該複数のキャリアのＣＢＲに基づき、該複数のキャリアからキャリア選択を行うことは、該複数のキャリアのＣＢＲに基づき、該複数のキャリアからＣＢＲが最も小さいキャリアを使用しようとするキャリアとして選択することを含む。
【０２９９】
好ましくは、該方法は、更に、Ｃ＿ｒｅｓｅｌの値が０に等しい場合、第１キャリアのＣＢＲが第３閾値を超えるかどうかを判定し、該第１キャリアが現在データ伝送に使用されるキャリアであることを含む。
【０３００】
６２０において、該複数のキャリアのＣＢＲに基づき、該複数のキャリアからキャリア選択を行うことは、該第１キャリアのＣＢＲが該第３閾値を超える場合、該複数のキャリアのＣＢＲに基づき、該複数のキャリアからキャリア選択を行うことを含む。
【０３０１】
好ましくは、第１キャリアのＣＢＲが第３閾値を超えていない場合、キャリア選択を行わずに、該第１キャリアを使用してもよい。
【０３０２】
好ましくは、候補の該複数のキャリアが該第１キャリアを含む。
【０３０３】
好ましくは、候補の該複数のキャリアが該第１キャリアを含まない。
【０３０４】
好ましくは、該方法が端末装置により実行され、該方法は、更に、該端末装置が該端末装置に予め設定された該第３閾値を取得し、又は、該端末装置がネットワーク装置から送信された、該第３閾値を含む設定情報を受信することを含む。
【０３０５】
好ましくは、該方法がネットワーク装置により実行され、該方法は、更に、該ネットワーク装置が該第３閾値を含む設定情報を端末装置に送信することを含む。
【０３０６】
従って、キャリア選択過程はＰｒｏｂＲｅｓｏｕｒｃｅＫｅｅｐパラメータに依存せず、リソース再選択カウンター（Ｃ＿ｒｅｓｅｌ）に基づき、Ｃ＿ｒｅｓｅｌ＝０の場合、端末装置がキャリア選択を行うようにトリガーするものであり、それにより現在のキャリアのＣＢＲが所定閾値を超えるかどうかによってキャリア選択を行うかどうかを判断して、現在のキャリアのＣＢＲが該閾値より大きい場合、キャリア選択を行い、従って、効果的なキャリア選択を実現するとともに、システムの複雑度を低減する。
【０３０７】
端末装置が伝送モード３を用いる場合、ネットワーク装置が上記方法に基づいてキャリア選択を行って端末装置に通知してもよく、端末装置が伝送モード４を用いる場合、該端末装置が上記方法によってキャリア選択を自主的に行ってもよい。ネットワーク装置がキャリア選択を行う過程の具体的な詳細は上記端末装置の関連説明を参照してもよく、簡潔のため、ここで詳細な説明は省略する。
【０３０８】
図７は本願の別の実施例のキャリア選択方法のフローチャートである。図７に示される方法は通信装置により実行されてもよく、該通信装置は端末装置又はネットワーク装置を備え、該端末装置は例えば図２に示される端末装置２０又は端末装置３０であってもよく、該ネットワーク装置は例えば図１又は図２に示されるネットワーク装置１０であってもよい。以下に端末装置を例として説明するが、本願に記載の方法もネットワーク装置等により実行されてもよい。図７に示すように、該キャリア選択方法は、
候補の複数のキャリアのＣＢＲを取得する７１０と、
端末装置の位置が第１ゾーンから第２ゾーンまで移動した場合、該複数のキャリアのＣＢＲに基づき、該複数のキャリアからキャリア選択を行う７２０と、を含む。
【０３０９】
好ましくは、該複数のキャリアのうちの各キャリアのＣＢＲは端末装置が各キャリアにおいて使用するリソースプールのＣＢＲである。
【０３１０】
更に、好ましくは、端末装置が各キャリアにおいて使用するリソースプールは複数のリソースプールのうちの該端末の位置するゾーン（即ち、地理的ゾーン）に対応するリソースプールであり、この複数のリソースプールと複数のゾーンとが対応関係を有する。
【０３１１】
具体的に、複数の地理的ゾーンを分割してもよく、この複数の地理的ゾーンと複数のリソースプールとが対応関係を有し、端末装置が各キャリアにおいてデータを伝送する際に使用したリソースプールは端末装置の現在位置する地理的ゾーンに対応するリソースプールである。端末装置が該リソースプールを使用してネットワーク装置とデータ伝送を行う場合、端末装置の測定したＣＢＲが該リソースプールのＣＢＲであり、つまり、端末装置の測定したＣＢＲが該リソースプールにおけるチャネルリソースのＣＢＲである。端末装置が異なる地理的ゾーンに位置する場合、各キャリアにおいて使用されるリソースプールが異なる可能性もある。
【０３１２】
複数の地理的ゾーンと複数のリソースプールとの対応関係は例えばマッピングテーブル、公式等の方式で示されてもよく、本願の実施例は制限しない。且つ、１つの地理的ゾーンが１つ又は複数のリソースプールに対応してもよく、１つのリソースプールが１つ又は複数の地理的ゾーンに対応してもよく、又は、該複数の地理的ゾーンと複数のリソースプールとが１対１に対応する。
【０３１３】
例えば、ネットワーク装置は地理的ゾーン全体を複数のゾーンに分割して、各ゾーンに対応するリソースプールを設定してもよく、端末装置がその位置するゾーンに対応するリソースプールを使用してデータ伝送を行う。異なるゾーンがそれぞれのゾーン識別子（ｚｏｎｅ＿ｉｄ）を有し、各ゾーンのｚｏｎｅ＿ｉｄは、
ｘ１＝Ｆｌｏｏｒ（ｘ／Ｌ）Ｍｏｄ  Ｎｘ、
ｙ１＝Ｆｌｏｏｒ（ｙ／Ｗ）Ｍｏｄ  Ｎｙ、
ｚｏｎｅ＿ｉｄ＝ｙ１×Ｎｘ＋ｘ１の公式によって計算されてもよく、
Ｌが各ゾーンの長さであり、Ｗが各ゾーンの幅であり、Ｎｘが経度方向におけるゾーン総数であり、Ｎｙが緯度方向におけるゾーン総数であり、ｘが位置（０，０）に対する端末装置の現在の位置の経度方向における距離（単位がメートルである）であり、ｙが位置（０，０）に対する端末装置の現在の位置の緯度方向における距離（単位がメートルである）であり、Ｆｌｏｏｒが切り下げであり、Ｍｏｄが余り求め運算である。
【０３１４】
各キャリアのＣＢＲが端末装置の位置の変化につれて迅速に変化し、又は時間の変化につれて変化するため、端末装置の位置移動によってキャリア選択を行うかどうかを判定して、端末装置の位置する地理的ゾーンが変化する場合のみ、キャリア選択を行い、それによりキャリアの切り替え頻度を低減し、システムの安定性を確保する。
【０３１５】
好ましくは、該方法が端末装置により実行される場合、７１０において、候補の複数のキャリアのＣＢＲを取得することは、該端末装置が該複数のキャリアのＣＢＲを測定して、該複数のキャリアのＣＢＲを取得することを含む。
【０３１６】
好ましくは、該方法が端末装置により実行される場合、７１０において、候補の複数のキャリアのＣＢＲを取得することは、該端末装置がネットワーク装置から送信された、候補の該複数のキャリアのＣＢＲを運搬するブロードキャストメッセージを受信することを含む。
【０３１７】
好ましくは、該方法がネットワーク装置により実行される場合、７１０において、候補の複数のキャリアのＣＢＲを取得することは、該ネットワーク装置が端末装置から報告された該複数のキャリアのＣＢＲを受信することを含む。
【０３１８】
好ましくは、７２０において、該複数のキャリアのＣＢＲに基づき、該複数のキャリアからキャリア選択を行うことは、該複数のキャリアのＣＢＲに基づき、該複数のキャリアからＣＢＲが最も小さいキャリアを使用しようとするキャリアとして選択することを含む。
【０３１９】
以上の説明に基づき、本願の実施例は更に具体的な端末装置又はネットワーク装置によるキャリア選択方法を５つ提供し、以下に端末装置を例として説明する。
【０３２０】
方式１
好ましくは、７２０において、端末装置の位置が第１ゾーンから第２ゾーンまで移動した場合、該複数のキャリアのＣＢＲに基づき、該複数のキャリアからキャリア選択を行うことは、
端末装置の位置が第１ゾーンから第２ゾーンまで移動した場合、第１キャリアのＣＢＲと第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることと、
該第１キャリアのＣＢＲと該第２キャリアのＣＢＲとの差値が該第１閾値を超える場合、該複数のキャリアのＣＢＲに基づき、該複数のキャリアからキャリア選択を行うことと、を含む。
【０３２１】
該実施例では、端末装置の位置する地理的ゾーンが変化する場合、現在のキャリアと他のキャリアとのＣＢＲの差値に基づいてキャリア選択を行うかどうかを判断して、ＣＢＲ差値が条件を満足する場合、キャリア選択を行い、それにより更にキャリアの切り替え頻度を低減し、システムの安定性を確保する。
【０３２２】
更に、好ましくは、該第１キャリアのＣＢＲと該第２キャリアのＣＢＲとの差値が該第１閾値を超える場合、該複数のキャリアのＣＢＲに基づき、該複数のキャリアからキャリア選択を行うことは、
該第１キャリアのＣＢＲと該第２キャリアのＣＢＲとの差値が該第１閾値を超える場合、該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０３２３】
つまり、該第１キャリアのＣＢＲと該第２キャリアのＣＢＲとの差値が該第１閾値を超える場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０３２４】
好ましくは、該方法が端末装置により実行される場合、第１キャリアのＣＢＲと第２キャリアのＣＢＲとの差値が第１閾値を超えるかどうかを判定する前に、該方法は、更に、端末装置が該端末装置に予め設定された該第１閾値を取得し、又は、端末装置がネットワーク装置から送信された、該第１閾値を含む設定情報を受信することを含む。
【０３２５】
好ましくは、該方法がネットワーク装置により実行される場合、該方法は、更に、ネットワーク装置が該第１閾値を含む設定情報を端末装置に送信することを含む。
【０３２６】
例えば、候補の該複数のキャリアの数がＮであり、Ｎが２以上の正の整数である。Ｎ個のキャリアそれぞれのＣＢＲ測定値がそれぞれＣＢＲ１、ＢＣＲ２・・・ＣＢＲＮと示される。端末装置の現在使用しているキャリアのＣＢＲがＣＢＲ１であると仮定し、端末装置が第１ゾーンから第２ゾーンまで移動した場合、Ｎ個のＣＢＲにおけるいずれか１つのＣＢＲｋに対して、｜ＣＢＲ１−ＣＢＲｋ｜＞Ｂを満足し、Ｂが所定閾値である場合、端末装置がキャリア選択を行うようにトリガーし、例えば、端末装置がＮ個のキャリアのＣＢＲを測定し、得られたＮ個のキャリアのＣＢＲに基づき、Ｎ個のキャリアからＣＢＲが最も小さいキャリアを使用しようとするキャリアとして選択する。
【０３２７】
好ましくは、７２０において、該第１キャリアのＣＢＲと該第２キャリアのＣＢＲとの差値が第１閾値を超える場合、該複数のキャリアのＣＢＲに基づき、該複数のキャリアからキャリア選択を行うことは、該第１キャリアのＣＢＲと該第２キャリアのＣＢＲとの差値が該第１閾値を超え、しかも所定時間長で持続するとした場合、該複数のキャリアのＣＢＲに基づき、該複数のキャリアからキャリア選択を行うことを含む。
【０３２８】
つまり、端末装置が第１ゾーンから第２ゾーンまで移動した場合、該第１キャリアのＣＢＲと該第２キャリアのＣＢＲとの差値が該第１閾値を超え、しかも所定時間長で持続するとした場合、キャリア選択を行い、例えばＣＢＲが最も小さいキャリアを使用しようとするキャリアとして選択する。
【０３２９】
更に、好ましくは、該第１キャリアのＣＢＲと該第２キャリアのＣＢＲとの差値が該第１閾値を超え、しかも所定時間長で持続するとした場合、該複数のキャリアのＣＢＲに基づき、該複数のキャリアからキャリア選択を行うことは、該第１キャリアのＣＢＲと該第２キャリアのＣＢＲとの差値が該第１閾値を超え、しかも所定時間長で持続するとした場合、該複数のキャリアのＣＢＲに基づき、ＣＢＲと第１キャリアのＣＢＲとの差が第１閾値を超えるキャリアから、１つのキャリアを使用しようとするキャリアとして選択することを含む。
【０３３０】
つまり、該第１キャリアのＣＢＲと該第２キャリアのＣＢＲとの差値が該第１閾値を超えて該所定時間長で持続する場合、該複数のキャリアからＣＢＲが条件を満足するキャリアを選択して、条件を満足するキャリアから使用しようとするキャリアを選択してもよく、ここで記載される条件はこれらのキャリアのＣＢＲと第１キャリアのＣＢＲとの差が第１閾値を超える。
【０３３１】
好ましくは、７２０において、該第１キャリアのＣＢＲと該第２キャリアのＣＢＲとの差値が第１閾値を超える場合、該複数のキャリアのＣＢＲに基づき、該複数のキャリアからキャリア選択を行うことは、該第１キャリアのＣＢＲと該第２キャリアのＣＢＲとの差値が該第１閾値を超えて、該第１キャリアのＣＢＲが第２閾値より大きい場合、該複数のキャリアのＣＢＲに基づき、該複数のキャリアからキャリア選択を行うことを含む。
【０３３２】
つまり、端末装置が第１ゾーンから第２ゾーンまで移動した場合、該第１キャリアのＣＢＲと該第２キャリアのＣＢＲとの差値が該第１閾値を超えて、該第１キャリアのＣＢＲが第２閾値より大きい場合、キャリア選択を行い、例えばＣＢＲが最も小さいキャリアを使用しようとするキャリアとして選択する。
【０３３３】
又は、好ましくは、７２０において、該第１キャリアのＣＢＲと該第２キャリアのＣＢＲとの差値が該第１閾値を超える場合、該複数のキャリアのＣＢＲに基づき、該複数のキャリアからキャリア選択を行うことは、
該第１キャリアのＣＢＲと該第２キャリアのＣＢＲとの差値が該第１閾値を超えて、該第１キャリアのＣＢＲが第２閾値以下である場合、該第１キャリアを使用しようとするキャリアとして選択し、又は
該第１キャリアのＣＢＲと該第２キャリアのＣＢＲとの差値が該第１閾値を超えて、該第１キャリアのＣＢＲが第２閾値以下である場合、ＣＢＲが該第２閾値以下であるキャリアからキャリア選択を行うことを含む。
【０３３４】
他の場合もあり、つまり、端末装置の位置が第１ゾーンから第２ゾーンまで移動した場合、第１キャリアのＣＢＲと該第２キャリアのＣＢＲとの差値が該第１閾値を超えていない場合、好ましくは、該方法は、更に、
端末装置の位置が第１ゾーンから第２ゾーンまで移動した場合、第１キャリアのＣＢＲと第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることと、
該第１キャリアのＣＢＲと該第２キャリアのＣＢＲとの差値が該第１閾値を超えていない場合、該第１キャリアを使用しようとするキャリアとして選択し、又は
該第１キャリアのＣＢＲと該第２キャリアのＣＢＲとの差値が該第１閾値を超えていない場合、該複数のキャリアからいずれか１つのキャリアを使用しようとするキャリアとして選択し、又は
該第１キャリアのＣＢＲと該第２キャリアのＣＢＲとの差値が該第１閾値を超えていない場合、該複数のキャリアからＣＢＲが最も小さいキャリアを使用しようとするキャリアとして選択することと、を含む。
【０３３５】
方式２
好ましくは、７２０の前、つまり、該複数のキャリアのＣＢＲに基づき、該複数のキャリアからキャリア選択を行う前に、該方法は、更に、該複数のキャリアのＣＢＲをフィルタリング処理して、フィルタリング後の該複数のキャリアのＣＢＲを取得することを含み、
７２０において、該複数のキャリアのＣＢＲに基づき、該複数のキャリアからキャリア選択を行うことは、フィルタリング後の該複数のキャリアのＣＢＲに基づき、該複数のキャリアからキャリア選択を行うことを含む。
【０３３６】
該実施例では、端末装置の位置する地理的ゾーンが変化する場合、複数のキャリアのＣＢＲの測定結果をフィルタリング処理して、フィルタリング処理後の該複数のキャリアのＣＢＲに基づき、フィルタリング後の該複数のキャリアからキャリア選択を行い、それによりキャリア選択を実現するとともに、キャリアの切り替え頻度を低減し、システムの安定性を確保する。
【０３３７】
好ましくは、該複数のキャリアのＣＢＲをフィルタリング処理することは、該複数のキャリアのＣＢＲに対して平滑化フィルタリングを行うことを含む。
【０３３８】
本願の実施例は平滑化フィルタリング方式を制限しない。
【０３３９】
例えば、該平滑化フィルタリング方式はＣＢＲ＿ｎｅｗ＝ａ×ＣＢＲ＿ｏｌｄ＋（１−ａ）×ＣＢＲ＿ｃｕｒｒｅｎｔであってもよい。
【０３４０】
ＣＢＲ＿ｎｅｗがフィルタリング後の各キャリアのＣＢＲであり、ＣＢＲ＿ｃｕｒｒｅｎｔがフィルタリング前の各キャリアのＣＢＲであり、ＣＢＲ＿ｏｌｄが前回のキャリア選択時にフィルタリングされた各キャリアのＣＢＲであり、ａがフィルタリング係数であって０≦ａ≦１である。
【０３４１】
以上によれば、適切なフィルタリング方式で測定されたＣＢＲをフィルタリングするため、ＣＢＲが迅速に変化することによる頻繁なキャリアの切り替えを回避する。
【０３４２】
好ましくは、７２０において、該複数のキャリアのＣＢＲに基づき、該複数のキャリアからキャリア選択を行うことは、フィルタリング後の該複数のキャリアのＣＢＲに基づき、該複数のキャリアからフィルタリング後のＣＢＲが最も小さいキャリアを使用しようとするキャリアとして選択することを含む。
【０３４３】
方式３
好ましくは、７２０の前、つまり、該複数のキャリアのＣＢＲに基づき、該複数のキャリアからキャリア選択を行う前に、該方法は、更に、該複数のキャリアのＣＢＲをフィルタリング処理して、フィルタリング後の該複数のキャリアのＣＢＲを取得することを含み、
７２０において、端末装置の位置が第１ゾーンから第２ゾーンまで移動した場合、該複数のキャリアのＣＢＲに基づき、該複数のキャリアからキャリア選択を行うことは、
端末装置の位置が第１ゾーンから第２ゾーンまで移動した場合、フィルタリング後の該第１キャリアのＣＢＲとフィルタリング後の該第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることと、
フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことと、を含む。
【０３４４】
該実施例では、端末装置の位置する地理的ゾーンが変化する場合、現在のキャリアと他のキャリアとのＣＢＲの差値に基づいてキャリア選択を行うかどうかを判断して、該ＣＢＲ差値が条件を満足する場合、複数のキャリアのＣＢＲの測定結果をフィルタリング処理して、フィルタリング処理後の該複数のキャリアのＣＢＲに基づき、該複数のキャリアからキャリア選択を行い、それによりキャリア選択を実現するとともに、更にキャリアの切り替え頻度を低減し、システムの安定性を確保する。
【０３４５】
更に、好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０３４６】
本願の実施例はフィルタリング方法を制限せず、例えば、該複数のキャリアのＣＢＲに対して平滑化フィルタリングを行ってもよい。
【０３４７】
好ましくは、平滑化フィルタリング後の該複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであってもよく、
ＣＢＲ＿ｎｅｗがフィルタリング後の各キャリアのＣＢＲであり、ＣＢＲ＿ｃｕｒｒｅｎｔがフィルタリング前の各キャリアのＣＢＲであり、ＣＢＲ＿ｏｌｄが前回のキャリア選択時にフィルタリングされた各キャリアのＣＢＲであり、ａがフィルタリング係数であって０≦ａ≦１である。
【０３４８】
好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超え、しかも所定時間長で持続するとした場合、該複数のキャリアのＣＢＲに基づき、該複数のキャリアからキャリア選択を行うことを含む。
【０３４９】
つまり、端末装置が第１ゾーンから第２ゾーンまで移動した場合、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づいてキャリア選択を行い、例えばフィルタリング後のＣＢＲが最も小さいキャリアを使用しようとするキャリアとして選択する。
【０３５０】
更に、好ましくは、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超え、しかも所定時間長で持続するとした場合、フィルタリング後の該複数のキャリアのＣＢＲに基づき、フィルタリング後のＣＢＲと第１キャリアのＣＢＲとの差が第１閾値を超えるキャリアから、１つのキャリアを使用しようとするキャリアとして選択することを含む。
【０３５１】
つまり、フィルタリング後の該第１キャリアのＣＢＲとフィルタリング後の該第２キャリアのＣＢＲとの差値が該第１閾値を超えて該所定時間長で持続する場合、該複数のキャリアからＣＢＲが条件を満足するキャリアを選択して、条件を満足するキャリアから使用しようとするキャリアを選択してもよく、ここで記載される条件はこれらのキャリアのフィルタリング後のＣＢＲと第１キャリアのフィルタリング後のＣＢＲとの差が第１閾値を超える。
【０３５２】
好ましくは、フィルタリング後の該第１キャリアのＣＢＲとフィルタリング後の該第２キャリアのＣＢＲとの差値が第１閾値を超える場合、該複数のキャリアのＣＢＲに基づき、該複数のキャリアからキャリア選択を行うことは、フィルタリング後の該第１キャリアのＣＢＲとフィルタリング後の該第２キャリアのＣＢＲとの差値が該第１閾値を超えて、フィルタリング後の該第１キャリアのＣＢＲが第２閾値より大きい場合、フィルタリング後の該複数のキャリアのＣＢＲに基づき、該複数のキャリアからキャリア選択を行うことを含む。
【０３５３】
つまり、端末装置が第１ゾーンから第２ゾーンまで移動した場合、フィルタリング後の該第１キャリアのＣＢＲと該第２キャリアのＣＢＲとの差値が該第１閾値を超えて、フィルタリング後の該第１キャリアのＣＢＲが第２閾値より大きい場合のみ、フィルタリング後の該複数のキャリアのＣＢＲに基づいてキャリア選択を行い、例えばフィルタリング後のＣＢＲが最も小さいキャリアを使用しようとするキャリアとして選択する。
【０３５４】
更に、好ましくは、フィルタリング後の該第１キャリアのＣＢＲとフィルタリング後の該第２キャリアのＣＢＲとの差値が該第１閾値を超える場合、フィルタリング後の該複数のキャリアのＣＢＲに基づき、該複数のキャリアからキャリア選択を行うことは、
フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えて、フィルタリング後の該第１キャリアのＣＢＲが第２閾値以下である場合、フィルタリング後のＣＢＲが該第２閾値以下であるキャリアからキャリア選択を行うことを含む。
【０３５５】
他の場合もあり、つまり、フィルタリング後の該第１キャリアのＣＢＲとフィルタリング後の該第２キャリアのＣＢＲとの差値が該第１閾値を超えていない場合、好ましくは、該端末装置の位置が第１ゾーンから第２ゾーンまで移動した場合、該複数のキャリアのＣＢＲに基づき、該複数のキャリアからキャリア選択を行うことは、
該端末装置の位置が該第１ゾーンから該第２ゾーンまで移動した場合、フィルタリング後の第１キャリアのＣＢＲとフィルタリング後の第２キャリアのＣＢＲとの差値が第１閾値を超えるかどうかを判定し、該第１キャリアが現在データ伝送に使用されるキャリアであり、該第２キャリアが該複数のキャリアのうちの該第１キャリア以外のいずれか１つのキャリアであることと、
フィルタリング後の該第１キャリアのＣＢＲとフィルタリング後の該第２キャリアのＣＢＲとの差値が該第１閾値を超えていない場合、該第１キャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからいずれか１つのキャリアを使用しようとするキャリアとして選択し、又は、
フィルタリング後の該第１キャリアのＣＢＲとフィルタリング後の該第２キャリアのＣＢＲとの差値が該第１閾値を超えていない場合、該複数のキャリアからフィルタリング後のＣＢＲが最も小さいキャリアを使用しようとするキャリアとして選択することと、を含む。
【０３５６】
方式４
好ましくは、７２０において、端末装置の位置が第１ゾーンから第２ゾーンまで移動した場合、該複数のキャリアのＣＢＲに基づき、該複数のキャリアからキャリア選択を行うことは、該端末装置の位置が該第１ゾーンから該第２ゾーンまで移動した場合、第１キャリアのＣＢＲが第３閾値を超えるかどうかを判定し、該第１キャリアが現在データ伝送に使用されるキャリアであることと、該第１キャリアのＣＢＲが該第３閾値を超える場合、該複数のキャリアのＣＢＲに基づき、該複数のキャリアからキャリア選択を行うことと、を含む。
【０３５７】
好ましくは、第１キャリアのＣＢＲが第３閾値を超えていない場合、キャリア選択を行わずに、該第１キャリアを使用してもよい。
【０３５８】
好ましくは、候補の該複数のキャリアが該第１キャリアを含む。
【０３５９】
好ましくは、候補の該複数のキャリアが該第１キャリアを含まない。
【０３６０】
好ましくは、該方法が端末装置により実行され、該方法は、更に、該端末装置が該端末装置に予め設定された該第３閾値を取得し、又は、該端末装置がネットワーク装置から送信された、該第３閾値を含む設定情報を受信することを含む。
【０３６１】
好ましくは、該方法がネットワーク装置により実行され、該方法は、更に、該ネットワーク装置が該第３閾値を含む設定情報を端末装置に送信することを含む。
【０３６２】
該実施例では、端末装置の位置する地理的ゾーンが変化する場合、現在のキャリアのＣＢＲが所定閾値を超えるかどうかによってキャリア選択を行うかどうかを判断して、現在のキャリアのＣＢＲが該閾値より大きい場合、候補の複数のキャリアからキャリア選択を行い、それによりキャリア選択を実現するとともに、更にキャリアの切り替え頻度を低減し、システムの安定性を確保する。
【０３６３】
方式５
好ましくは、該方法は、更に、該複数のキャリアのＣＢＲをフィルタリング処理して、フィルタリング後の該複数のキャリアのＣＢＲを取得することを含む。
【０３６４】
７２０において、該端末装置の位置が第１ゾーンから第２ゾーンまで移動した場合、該複数のキャリアのＣＢＲに基づき、該複数のキャリアからキャリア選択を行うことは、該端末装置の位置が該第１ゾーンから該第２ゾーンまで移動した場合、フィルタリング後の第１キャリアのＣＢＲが第３閾値を超えるかどうかを判定し、該第１キャリアが現在データ伝送に使用されるキャリアであることと、フィルタリング後の該第１キャリアのＣＢＲが該第３閾値を超える場合、該複数のキャリアのＣＢＲに基づき、該複数のキャリアからキャリア選択を行うことと、を含む。
【０３６５】
好ましくは、第１キャリアのＣＢＲが第３閾値を超えていない場合、キャリア選択を行わずに、該第１キャリアを使用してもよい。
【０３６６】
好ましくは、候補の該複数のキャリアが該第１キャリアを含む。
【０３６７】
好ましくは、候補の該複数のキャリアが該第１キャリアを含まない。
【０３６８】
好ましくは、該方法が端末装置により実行され、該方法は、更に、該端末装置が該端末装置に予め設定された該第３閾値を取得し、又は、該端末装置がネットワーク装置から送信された、該第３閾値を含む設定情報を受信することを含む。
【０３６９】
好ましくは、該方法がネットワーク装置により実行され、該方法は、更に、該ネットワーク装置が該第３閾値を含む設定情報を端末装置に送信することを含む。
【０３７０】
好ましくは、該複数のキャリアのＣＢＲをフィルタリング処理することは、該複数のキャリアのＣＢＲに対して平滑化フィルタリングを行うことを含む。
【０３７１】
好ましくは、該平滑化フィルタリング後の該複数のキャリアのうちの各キャリアのＣＢＲは、
ＣＢＲ＿ｎｅｗ＝ａ×ＣＢＲ＿ｏｌｄ＋（１−ａ）×ＣＢＲ＿ｃｕｒｒｅｎｔであり、
ＣＢＲ＿ｎｅｗがフィルタリング後の各キャリアのＣＢＲであり、ＣＢＲ＿ｃｕｒｒｅｎｔがフィルタリング前の各キャリアのＣＢＲであり、ＣＢＲ＿ｏｌｄが前回のキャリア選択時にフィルタリングされた各キャリアのＣＢＲであり、ａがフィルタリング係数であって０≦ａ≦１である。
【０３７２】
該実施例では、端末装置の位置する地理的ゾーンが変化する場合、複数のキャリアのＣＢＲの測定結果をフィルタリング処理して、フィルタリング後の現在のキャリアのＣＢＲが所定閾値を超えるかどうかによってキャリア選択を行うかどうかを判断し、フィルタリング後の現在のキャリアのＣＢＲが該閾値より大きい場合、キャリア選択を行い、従って、効果的なキャリア選択を実現するとともに、システムの複雑度を低減する。
【０３７３】
好ましくは、７２０において、該複数のキャリアのＣＢＲに基づき、該複数のキャリアからキャリア選択を行うことは、フィルタリング後の該複数のキャリアのＣＢＲに基づき、該複数のキャリアからフィルタリング後のＣＢＲが最も小さいキャリアを使用しようとするキャリアとして選択することを含む。
【０３７４】
理解すべきこととして、本願の実施例におけるキャリア選択方法は異なる伝送モード（例えば、上記伝送モード３又は伝送モード４）を用いる端末装置に適用されてもよい。端末装置が伝送モード３を用いる場合、ネットワーク装置が上記方法に基づいてキャリア選択を行って端末装置に通知してもよく、端末装置が伝送モード４を用いる場合、該端末装置が上記方法によってキャリア選択を自主的に行ってもよい。ネットワーク装置がキャリア選択を行う詳細な過程は上記端末装置がキャリア選択を行う過程を参照してもよく、簡潔のため、ここで詳細な説明は省略する。
【０３７５】
図８は本願の別の実施例のキャリア選択方法のフローチャートである。図８に示される方法は通信装置により実行されてもよく、該通信装置は端末装置又はネットワーク装置を備え、該端末装置は例えば図２に示される端末装置２０又は端末装置３０であってもよく、該ネットワーク装置は例えば図１又は図２に示されるネットワーク装置１０であってもよい。以下に端末装置を例として説明するが、本願に記載の方法もネットワーク装置等により実行されてもよい。図８に示すように、該キャリア選択方法は、
候補の複数のキャリアのＣＢＲを取得する８１０と、
第１キャリアのＣＢＲが第３閾値を超えるかどうかを判定し、該第１キャリアが現在データ伝送に使用されるキャリアである８２０と、
該第１キャリアのＣＢＲが該第３閾値を超える場合、該複数のキャリアのＣＢＲに基づき、該複数のキャリアからキャリア選択を行う８３０と、を含む。
【０３７６】
具体的に、端末装置は候補の複数のキャリアのＣＢＲの測定結果を取得して、現在データ伝送に使用される第１キャリアのＣＢＲを計算し、第１キャリアのＣＢＲが第３閾値より大きい場合、端末装置がキャリア選択を行うようにトリガーし、キャリア選択を行うとき、端末装置は該複数のキャリアのＣＢＲに基づき、該複数のキャリアから使用しようとするキャリアを選択してもよい。キャリア選択を行うとき、第１キャリアを含む複数のキャリアからキャリア選択を行ってもよいし、第１キャリアを含まない複数のキャリアからキャリア選択を行ってもよい。
【０３７７】
好ましくは、第１キャリアのＣＢＲが第３閾値を超えていない場合、キャリア選択を行わずに、該第１キャリアを使用してもよい。
【０３７８】
好ましくは、候補の該複数のキャリアが該第１キャリアを含む。
【０３７９】
好ましくは、候補の該複数のキャリアが該第１キャリアを含まない。
【０３８０】
従って、現在のキャリアのＣＢＲと第３閾値とを比較して、第１キャリアのＣＢＲが第３閾値より大きい場合、キャリア選択を行い、それによりキャリアの切り替え頻度を低減し、システムの安定性を確保する。
【０３８１】
例えば、端末装置の現在使用しているキャリアのＣＢＲがＣＢＲ１であり、ＣＢＲ１が第３閾値より大きい場合、端末装置がキャリア選択を行うようにトリガーし、例えば端末装置が候補の複数のキャリアのＣＢＲを測定して、得られた複数のキャリアのＣＢＲに基づき、該複数のキャリアからＣＢＲが最も小さいキャリアを使用しようとするキャリアとして選択し、候補の複数のキャリアに第１キャリアが含まれてもよいし、第１キャリアが含まれなくてもよい。
【０３８２】
該複数のキャリアのうちの各キャリアのＣＢＲは端末装置が各キャリアにおいて使用するリソースプールのＣＢＲである。
【０３８３】
更に、好ましくは、端末装置が各キャリアにおいて使用するリソースプールは複数のリソースプールのうちの該端末の位置するゾーン（即ち、地理的ゾーン）に対応するリソースプールであり、この複数のリソースプールと複数のゾーンとが対応関係を有する。
【０３８４】
具体的に、複数の地理的ゾーンを分割してもよく、この複数の地理的ゾーンと複数のリソースプールとが対応関係を有し、端末装置が各キャリアにおいてデータを伝送する際に使用したリソースプールは端末装置の現在位置する地理的ゾーンに対応するリソースプールである。端末装置が該リソースプールを使用してネットワーク装置とデータ伝送を行う場合、端末装置の測定したＣＢＲが該リソースプールのＣＢＲであり、つまり、端末装置の測定したＣＢＲが該リソースプールにおけるチャネルリソースのＣＢＲである。端末装置が異なる地理的ゾーンに位置する場合、各キャリアにおいて使用されるリソースプールが異なる可能性もある。
【０３８５】
複数の地理的ゾーンと複数のリソースプールとの対応関係は例えばマッピングテーブル、公式等の方式で示されてもよく、本願の実施例は制限しない。且つ、１つの地理的ゾーンが１つ又は複数のリソースプールに対応してもよく、１つのリソースプールが１つ又は複数の地理的ゾーンに対応してもよく、又は、該複数の地理的ゾーンと複数のリソースプールとが１対１に対応する。
【０３８６】
好ましくは、８３０において、該複数のキャリアからキャリア選択を行うことは、該複数のキャリアのＣＢＲに基づき、該複数のキャリアからＣＢＲが最も小さいキャリアを使用しようとするキャリアとして選択することを含む。
【０３８７】
好ましくは、該方法が端末装置により実行され、該候補の複数のキャリアのＣＢＲを取得することは、該端末装置が該複数のキャリアのＣＢＲを測定して、該複数のキャリアのＣＢＲを取得することを含む。
【０３８８】
好ましくは、該方法が端末装置により実行され、該候補の複数のキャリアのＣＢＲを取得することは、該端末装置がネットワーク装置から送信された、候補の該複数のキャリアのＣＢＲを運搬するブロードキャストメッセージを受信することを含む。
【０３８９】
好ましくは、該方法は、更に、該端末装置が該端末装置に予め設定された該第３閾値を取得し、又は、該端末装置がネットワーク装置から送信された、該第３閾値を含む設定情報を受信することを含む。
【０３９０】
好ましくは、該方法がネットワーク装置により実行され、該候補の複数のキャリアのＣＢＲを取得することは、該ネットワーク装置が端末装置から報告された該複数のキャリアのＣＢＲを受信することを含む。
【０３９１】
好ましくは、該方法は、更に、該ネットワーク装置が該第３閾値を含む設定情報を端末装置に送信することを含む。
【０３９２】
好ましくは、該複数のキャリアのうちの各キャリアのＣＢＲは端末装置が該各キャリアにおいて使用するリソースプールのＣＢＲである。
【０３９３】
好ましくは、該端末装置が該各キャリアにおいて使用するリソースプールは複数のリソースプールのうちの該端末の位置するゾーンに対応するリソースプールであり、該複数のリソースプールと複数のゾーンとが対応関係を有する。
【０３９４】
端末装置が伝送モード３を用いる場合、ネットワーク装置が上記方法に基づいてキャリア選択を行って端末装置に通知してもよく、端末装置が伝送モード４を用いる場合、該端末装置が上記方法によってキャリア選択を自主的に行ってもよい。ネットワーク装置がキャリア選択を行う過程の具体的な詳細は上記端末装置の関連説明を参照してもよく、簡潔のため、ここで詳細な説明は省略する。
【０３９５】
理解すべきこととして、方法４００〜方法８００の説明はいずれも互いに参照してもよく、且つ方法４００〜方法８００の実施例における方法は組み合わせて使用されてもよく、簡潔のため、ここで詳細な説明は省略する。
【０３９６】
更に理解すべきこととして、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０３９７】
以上は本願の実施例に係るキャリア選択方法を詳しく説明したが、以下に図９〜図１５を参照しながら本願の実施例に係る装置を説明し、方法実施例に説明される技術的特徴は以下の装置実施例に適用される。
【０３９８】
図９は本願の実施例に係る通信装置９００のブロック図である。図９に示すように、該通信装置９００は取得ユニット９１０、フィルタリングユニット９２０及びキャリア選択ユニット９３０を備える。そのうち、
取得ユニット９１０は候補の複数のキャリアのチャネル占有率（ＣＢＲ）を取得することに用いられ、
フィルタリングユニット９２０は前記取得ユニット９１０の取得した複数のキャリアのＣＢＲをフィルタリング処理して、フィルタリング後の前記複数のキャリアのＣＢＲを取得することに用いられ、
キャリア選択ユニット９３０は前記フィルタリングユニット９２０のフィルタリングした前記複数のキャリアのＣＢＲに基づき、前記複数のキャリアからキャリア選択を行うことに用いられる。
【０３９９】
従って、複数のキャリアのＣＢＲの測定結果をフィルタリング処理して、フィルタリング処理後の該複数のキャリアのＣＢＲに基づき、該複数のキャリアからキャリア選択を行い、それによりキャリア選択を実現するとともに、キャリアの切り替え頻度を低減し、システムの安定性を確保する。
【０４００】
好ましくは、前記フィルタリングユニット９２０は、具体的に、前記複数のキャリアのＣＢＲに対して平滑化フィルタリングを行うことに用いられる。
【０４０１】
好ましくは、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０４０２】
好ましくは、前記通信装置は、更に、フィルタリング後の第１キャリアのＣＢＲとフィルタリング後の第２キャリアのＣＢＲとの差値が第１閾値を超えるかどうかを判定するように構成され、前記第１キャリアが現在データ伝送に使用されるキャリアであり、前記第２キャリアが前記複数のキャリアのうちの前記第１キャリア以外のいずれか１つのキャリアである判定ユニットを備え、
前記キャリア選択ユニット９３０は、具体的に、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことに用いられる。
【０４０３】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４０４】
好ましくは、前記通信装置は端末装置であり、前記端末装置は送受信ユニットを備え、前記取得ユニット９１０は、更に、前記端末装置に予め設定された前記第１閾値を取得し、又は、前記送受信ユニットによってネットワーク装置から送信された、前記第１閾値を含む設定情報を受信することに用いられる。
【０４０５】
好ましくは、前記通信装置はネットワーク装置であり、前記ネットワーク装置は送受信ユニットを備え、前記送受信ユニットは前記第１閾値を含む設定情報を端末装置に送信することに用いられる。
【０４０６】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかも所定時間長で持続するとした場合、前記複数のキャリアのＣＢＲに基づき、前記複数のキャリアからキャリア選択を行うことに用いられる。
【０４０７】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４０８】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値より大きい場合、前記複数のキャリアのＣＢＲに基づき、前記複数のキャリアからキャリア選択を行うことに用いられる。
【０４０９】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことに用いられる。
【０４１０】
好ましくは、前記通信装置は更に判定ユニットを備え、前記判定ユニットはフィルタリング後の第１キャリアのＣＢＲとフィルタリング後の第２キャリアのＣＢＲとの差値が第１閾値を超えるかどうかを判定することに用いられ、前記第１キャリアが現在データ伝送に使用されるキャリアであり、前記第２キャリアが前記複数のキャリアのうちの前記第１キャリア以外のいずれか１つのキャリアであり、
前記キャリア選択ユニットは、具体的に、フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することに用いられる。
【０４１１】
好ましくは、前記キャリア選択ユニット９３０は、具体的に、リソース再選択カウンター（Ｃ＿ｒｅｓｅｌ）の値が０に等しい場合、フィルタリング後の前記複数のキャリアのＣＢＲに基づき、前記複数のキャリアからキャリア選択を行うことに用いられる。
【０４１２】
好ましくは、前記複数のキャリアのうちの各キャリアには１つの対応するＣ＿ｒｅｓｅｌが設定され、前記キャリア選択ユニット９３０は、具体的に、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記複数のキャリアのＣＢＲに基づき、前記複数のキャリアからキャリア選択を行うことに用いられる。
【０４１３】
好ましくは、前記複数のキャリアに同じＣ＿ｒｅｓｅｌが設定され、前記キャリア選択ユニット９３０は、具体的に、前記同じＣ＿ｒｅｓｅｌの値が０に等しい場合、フィルタリング後の前記複数のキャリアのＣＢＲに基づき、前記複数のキャリアからキャリア選択を行うことに用いられる。
【０４１４】
好ましくは、前記通信装置は更に判定ユニットを備え、前記判定ユニットは、具体的に、Ｃ＿ｒｅｓｅｌの値が０に等しい場合、フィルタリング後の第１キャリアのＣＢＲとフィルタリング後の第２キャリアのＣＢＲとの差値が第１閾値を超えるかどうかを判定することに用いられ、前記第１キャリアが現在データ伝送に使用されるキャリアであり、前記第２キャリアが前記複数のキャリアのうちの前記第１キャリア以外のいずれか１つのキャリアであり、
前記キャリア選択ユニット９３０は、具体的に、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことに用いられる。
【０４１５】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４１６】
好ましくは、前記通信装置は端末装置であり、前記端末装置は送受信ユニットを備え、前記取得ユニット９１０は、更に、前記端末装置に予め設定された前記第１閾値を取得し、又は、前記送受信ユニットによってネットワーク装置から送信された、前記第１閾値を含む設定情報を受信することに用いられる。
【０４１７】
好ましくは、前記通信装置はネットワーク装置であり、前記ネットワーク装置は送受信ユニットを備え、前記送受信ユニットは前記第１閾値を含む設定情報を端末装置に送信することに用いられる。
【０４１８】
好ましくは、前記複数のキャリアのうちの各キャリアには１つの対応するＣ＿ｒｅｓｅｌが設定され、前記判定ユニットは、具体的に、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することに用いられる。
【０４１９】
好ましくは、前記複数のキャリアに同じＣ＿ｒｅｓｅｌが設定され、前記判定ユニットは、具体的に、前記同じＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することに用いられる。
【０４２０】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかも所定時間長で持続するとした場合、前記複数のキャリアのＣＢＲに基づき、前記複数のキャリアからキャリア選択を行うことに用いられる。
【０４２１】
好ましくは、前記キャリア選択ユニット９３０は、具体的に、前記フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４２２】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値より大きい場合、前記複数のキャリアのＣＢＲに基づき、前記複数のキャリアからキャリア選択を行うことに用いられる。
【０４２３】
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことに用いられる。
【０４２４】
好ましくは、前記通信装置は更に判定ユニットを備え、前記判定ユニットはフィルタリング後の第１キャリアのＣＢＲとフィルタリング後の第２キャリアのＣＢＲとの差値が第１閾値を超えるかどうかを判定することに用いられ、前記第１キャリアが現在データ伝送に使用されるキャリアであり、前記第２キャリアが前記複数のキャリアのうちの前記第１キャリア以外のいずれか１つのキャリアであり、
好ましくは、前記キャリア選択ユニット９３０は、具体的に、フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、
フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することに用いられる。
【０４２５】
好ましくは、前記キャリア選択ユニット９３０は、具体的に、フィルタリング後の前記複数のキャリアのＣＢＲに基づき、前記複数のキャリアからフィルタリング後のＣＢＲが最も小さいキャリアを使用しようとするキャリアとして選択することに用いられる。
【０４２６】
好ましくは、前記通信装置は端末装置であり、前記取得ユニット９１０は、具体的に、前記複数のキャリアのＣＢＲを測定して、前記複数のキャリアのＣＢＲを取得することに用いられる。
【０４２７】
好ましくは、前記通信装置は端末装置であり、前記端末装置は更に送受信ユニットを備え、前記取得ユニット９１０は、具体的に、前記送受信ユニットによってネットワーク装置から送信された、候補の前記複数のキャリアのＣＢＲが含まれるブロードキャストメッセージを受信することに用いられる。
【０４２８】
好ましくは、前記通信装置はネットワーク装置であり、前記取得ユニット９１０は、具体的に、送受信ユニットによって端末装置から報告された前記複数のキャリアのＣＢＲを受信することに用いられる。
【０４２９】
好ましくは、前記キャリア選択過程がリソース保持確率（ＰｒｏｂＲｅｓｏｕｒｃｅＫｅｅｐ）パラメータに関連しない。
【０４３０】
好ましくは、前記複数のキャリアのうちの各キャリアのＣＢＲは、端末装置が前記各キャリアにおいて使用するリソースプールのＣＢＲである。
【０４３１】
好ましくは、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０４３２】
理解すべきこととして、該通信装置９００は上記方法実施例における通信装置の実行する方法４００の対応操作を実行することができ、簡潔のため、ここで詳細な説明は省略する。
【０４３３】
図１０は本願の実施例に係る通信装置１０００のブロック図である。図１０に示すように、該通信装置１０００は取得ユニット１０１０、判定ユニット１０２０及びキャリア選択ユニット１０３０を備える。そのうち、
取得ユニット１０１０は候補の複数のキャリアのチャネル占有率（ＣＢＲ）を取得することに用いられ、
判定ユニット１０２０は第１キャリアのＣＢＲと第２キャリアのＣＢＲとの差値が第１閾値を超えるかどうかを判定することに用いられ、前記第１キャリアが現在データ伝送に使用されるキャリアであり、前記第２キャリアが前記複数のキャリアのうちの前記第１キャリア以外のいずれか１つのキャリアであり、
キャリア選択ユニット１０３０は前記第１キャリアのＣＢＲと前記第２キャリアのＣＢＲとの差値が第１閾値を超える場合、前記取得ユニット１０１０の取得した前記複数のキャリアからキャリア選択を行うことに用いられる。
【０４３４】
従って、現在のキャリアと他のキャリアとのＣＢＲの差を判断することにより、キャリア選択を行うかどうかを判定して、ＣＢＲの差が条件を満足する場合のみ、キャリア選択を行い、それによりキャリアの切り替え頻度を低減し、システムの安定性を確保する。
【０４３５】
好ましくは、前記キャリア選択ユニット１０３０は、具体的に、前記第１キャリアのＣＢＲと前記第２キャリアのＣＢＲとの差値が第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することに用いられる。
【０４３６】
好ましくは、前記キャリア選択ユニット１０３０は、具体的に、前記第１キャリアのＣＢＲと前記第２キャリアのＣＢＲとの差値が第１閾値を超え、しかも所定時間長で持続するとした場合、前記複数のキャリアのＣＢＲに基づき、前記複数のキャリアからキャリア選択を行うことに用いられる。
【０４３７】
好ましくは、前記キャリア選択ユニット１０３０は、具体的に、前記第１キャリアのＣＢＲと前記第２キャリアのＣＢＲとの差値が前記第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することに用いられる。
【０４３８】
好ましくは、前記キャリア選択ユニット１０３０は、具体的に、前記第１キャリアのＣＢＲと前記第２キャリアのＣＢＲとの差値が第１閾値を超え、しかも前記第１キャリアのＣＢＲが第２閾値より大きい場合、前記複数のキャリアのＣＢＲに基づき、前記複数のキャリアからキャリア選択を行うことに用いられる。
【０４３９】
好ましくは、前記キャリア選択ユニット１０３０は、具体的に、前記第１キャリアのＣＢＲと前記第２キャリアのＣＢＲとの差値が前記第１閾値を超え、しかも前記第１キャリアのＣＢＲが第２閾値以下である場合、前記第１キャリアを使用しようとするキャリアとして選択し、又は、
前記第１キャリアのＣＢＲと前記第２キャリアのＣＢＲとの差値が前記第１閾値を超え、しかも前記第１キャリアのＣＢＲが第２閾値以下である場合、ＣＢＲが前記第２閾値以下であるキャリアからキャリア選択を行うことに用いられる。
【０４４０】
好ましくは、前記キャリア選択ユニット１０３０は、更に、前記第１キャリアのＣＢＲと前記第２キャリアのＣＢＲとの差値が前記第１閾値を超えていない場合、前記第１キャリアを使用しようとするキャリアとして選択し、又は、前記第１キャリアのＣＢＲと前記第２キャリアのＣＢＲとの差値が前記第１閾値を超えていない場合、前記複数のキャリアからいずれか１つのキャリアを使用しようとするキャリアとして選択し、又は、前記第１キャリアのＣＢＲと前記第２キャリアのＣＢＲとの差値が前記第１閾値を超えていない場合、前記複数のキャリアからフィルタリング後のＣＢＲが最も小さいキャリアを使用しようとするキャリアとして選択することに用いられる。
【０４４１】
好ましくは、前記判定ユニット１０２０は、具体的に、リソース再選択カウンター（Ｃ＿ｒｅｓｅｌ）の値が０に等しい場合、前記第１キャリアのＣＢＲと前記第２キャリアのＣＢＲとの差値が前記第１閾値を超えるかどうかを判定することに用いられる。
【０４４２】
好ましくは、前記複数のキャリアのうちの各キャリアには１つの対応するＣ＿ｒｅｓｅｌが設定され、前記判定ユニット１０２０は、具体的に、前記複数のキャリアに設定された複数のＣ＿ｒｅｓｅｌのうちの現在データ伝送に使用されるキャリアに対応するＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することに用いられる。
【０４４３】
好ましくは、前記複数のキャリアに同じＣ＿ｒｅｓｅｌが設定され、前記判定ユニット１０２０は、具体的に、前記同じＣ＿ｒｅｓｅｌの値が０に等しい場合、フィルタリング後の前記第１キャリアのＣＢＲとフィルタリング後の前記第２キャリアのＣＢＲとの差値が前記第１閾値を超えるかどうかを判定することに用いられる。
【０４４４】
好ましくは、前記キャリア選択ユニット１０３０は、具体的に、前記複数のキャリアのＣＢＲに基づき、前記複数のキャリアからＣＢＲが最も小さいキャリアを使用しようとするキャリアとして選択することに用いられる。
【０４４５】
好ましくは、前記通信装置は端末装置であり、前記取得ユニット１０１０は、具体的に、前記複数のキャリアのＣＢＲを測定して、前記複数のキャリアのＣＢＲを取得することに用いられる。
【０４４６】
好ましくは、前記通信装置は端末装置であり、前記端末装置は送受信ユニットを備え、前記取得ユニット１０１０は、具体的に、前記送受信ユニットによってネットワーク装置から送信された、候補の前記複数のキャリアのＣＢＲが含まれるブロードキャストメッセージを受信することに用いられる。
【０４４７】
好ましくは、前記端末装置は送受信ユニットを備え、前記取得ユニット１０１０は、具体的に、前記端末装置に予め設定された前記第１閾値を取得し、又は、前記送受信ユニットによってネットワーク装置から送信された、前記第１閾値を含む設定情報を受信することに用いられる。
【０４４８】
好ましくは、前記通信装置はネットワーク装置であり、前記ネットワーク装置は送受信ユニットを備え、前記取得ユニット１０１０は、具体的に、前記送受信ユニットによって端末装置から報告された前記複数のキャリアのＣＢＲを受信することに用いられることを特徴とする。
【０４４９】
好ましくは、前記送受信ユニットは、更に、前記第１閾値を含む設定情報を端末装置に送信することに用いられる。
【０４５０】
好ましくは、前記キャリア選択過程がリソース保持確率（ＰｒｏｂＲｅｓｏｕｒｃｅＫｅｅｐ）パラメータに関連しない。
【０４５１】
好ましくは、前記複数のキャリアのうちの各キャリアのＣＢＲは、端末装置が前記各キャリアにおいて使用するリソースプールのＣＢＲである。
【０４５２】
好ましくは、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０４５３】
理解すべきこととして、該通信装置１０００は上記方法実施例における通信装置の実行する方法５００の対応操作を実行することができ、簡潔のため、ここで詳細な説明は省略する。
【０４５４】
図１１は本願の実施例に係る通信装置１１００のブロック図である。図１１に示すように、該通信装置１１００は取得ユニット１１１０及びキャリア選択ユニット１１２０を備える。そのうち、
取得ユニット１１１０は候補の複数のキャリアのチャネル占有率（ＣＢＲ）を取得することに用いられ、
キャリア選択ユニット１１２０はリソース再選択カウンター（Ｃ＿ｒｅｓｅｌ）の値が０に等しい場合、前記取得ユニットの取得した前記複数のキャリアのＣＢＲに基づき、前記複数のキャリアからキャリア選択を行うことに用いられる。
【０４５５】
従って、キャリア選択過程はリソース保持確率（ＰｒｏｂＲｅｓｏｕｒｃｅＫｅｅｐ）パラメータに依存せず、リソース再選択カウンター（Ｃ＿ｒｅｓｅｌ）に基づいて現在キャリア選択を行う必要があるかどうかを判定するものであり、これにより、効果的なキャリア選択を実現し、システムの複雑度を低減する。
【０４５６】
好ましくは、前記複数のキャリアのうちの各キャリアには１つの対応するＣ＿ｒｅｓｅｌが設定され、前記キャリア選択ユニット１１２０は、具体的に、前記複数のキャリアに設定された複数のＣ＿ｒｅｓｅｌのうちの現在データ伝送に使用されるキャリアに対応するＣ＿ｒｅｓｅｌの値が０に等しい場合、前記複数のキャリアのＣＢＲに基づき、前記複数のキャリアからキャリア選択を行うことに用いられる。
【０４５７】
好ましくは、前記複数のキャリアに同じＣ＿ｒｅｓｅｌが設定され、前記キャリア選択ユニット１１２０は、具体的に、前記同じＣ＿ｒｅｓｅｌの値が０に等しい場合、前記複数のキャリアのＣＢＲに基づき、前記複数のキャリアからキャリア選択を行うことに用いられる。
【０４５８】
好ましくは、前記キャリア選択ユニット１１２０は、具体的に、前記複数のキャリアのＣＢＲに基づき、前記複数のキャリアからＣＢＲが最も小さいキャリアを使用しようとするキャリアとして選択することに用いられる。
【０４５９】
好ましくは、前記通信装置は端末装置であり、前記取得ユニット１１１０は、具体的に、前記複数のキャリアのＣＢＲを測定して、前記複数のキャリアのＣＢＲを取得することに用いられる。
【０４６０】
好ましくは、前記通信装置は端末装置であり、前記端末装置は送受信ユニットを備え、前記取得ユニットは、具体的に、前記送受信ユニットによってネットワーク装置から送信された、候補の前記複数のキャリアのＣＢＲが含まれるブロードキャストメッセージを受信することに用いられる。
【０４６１】
好ましくは、前記通信装置はネットワーク装置であり、前記ネットワーク装置は送受信ユニットを備え、前記取得ユニット１１１０は、具体的に、前記送受信ユニットによって端末装置から報告された前記複数のキャリアのＣＢＲを受信することに用いられる。
【０４６２】
好ましくは、前記キャリア選択過程がリソース保持確率（ＰｒｏｂＲｅｓｏｕｒｃｅＫｅｅｐ）パラメータに関連しない。
【０４６３】
好ましくは、前記複数のキャリアのうちの各キャリアのＣＢＲは、端末装置が前記各キャリアにおいて使用するリソースプールのＣＢＲである。
【０４６４】
好ましくは、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０４６５】
理解すべきこととして、該通信装置１１００は上記方法実施例における通信装置の実行する方法６００の対応操作を実行することができ、簡潔のため、ここで詳細な説明は省略する。
【０４６６】
図１２は本願の実施例に係る通信装置１２００のブロック図である。図１２に示すように、該通信装置１２００は取得ユニット１２１０及びキャリア選択ユニット１２２０を備える。そのうち、
取得ユニット１２１０は候補の複数のキャリアのチャネル占有率（ＣＢＲ）を取得することに用いられ、
キャリア選択ユニット１２２０は端末装置の位置が第１ゾーンから第２ゾーンまで移動した場合、前記取得ユニット１２１０の取得した前記複数のキャリアのＣＢＲに基づき、前記複数のキャリアからキャリア選択を行うことに用いられる。
【０４６７】
従って、端末装置の位置移動によってキャリア選択を行うかどうかを判定して、端末装置の位置する地理的ゾーンが変化する場合のみ、キャリア選択を行い、それによりキャリアの切り替え頻度を低減し、システムの安定性を確保する。
【０４６８】
好ましくは、前記キャリア選択ユニット１２２０は、具体的に、端末装置の位置が第１ゾーンから第２ゾーンまで移動した場合、第１キャリアのＣＢＲと第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、前記第１キャリアのＣＢＲと前記第２キャリアのＣＢＲとの差値が前記第１閾値を超える場合、前記複数のキャリアのＣＢＲに基づき、前記複数のキャリアからキャリア選択を行うことと、に用いられる。
【０４６９】
好ましくは、前記キャリア選択ユニット１２２０は、具体的に、前記第１キャリアのＣＢＲと前記第２キャリアのＣＢＲとの差値が前記第１閾値を超える場合、前記複数のキャリアのＣＢＲに基づき、ＣＢＲと第１キャリアのＣＢＲとの差が第１閾値を超えるキャリアから、１つのキャリアを使用しようとするキャリアとして選択することに用いられる。
【０４７０】
好ましくは、前記キャリア選択ユニット１２２０は、具体的に、前記第１キャリアのＣＢＲと前記第２キャリアのＣＢＲとの差値が前記第１閾値を超え、しかも所定時間長で持続するとした場合、前記複数のキャリアのＣＢＲに基づき、前記複数のキャリアからキャリア選択を行うことに用いられる。
【０４７１】
前記キャリア選択ユニット１２２０は、具体的に、前記第１キャリアのＣＢＲと前記第２キャリアのＣＢＲとの差値が前記第１閾値を超え、しかも所定時間長で持続するとした場合、前記複数のキャリアのＣＢＲに基づき、ＣＢＲと第１キャリアのＣＢＲとの差が第１閾値を超えるキャリアから、１つのキャリアを使用しようとするキャリアとして選択することに用いられる。
【０４７２】
好ましくは、前記キャリア選択ユニット１２２０は、具体的に、前記第１キャリアのＣＢＲと前記第２キャリアのＣＢＲとの差値が前記第１閾値を超え、しかも前記第１キャリアのＣＢＲが第２閾値より大きい場合、前記複数のキャリアのＣＢＲに基づき、前記複数のキャリアからキャリア選択を行うことに用いられる。
【０４７３】
好ましくは、前記キャリア選択ユニット１２２０は、具体的に、前記第１キャリアのＣＢＲと前記第２キャリアのＣＢＲとの差値が前記第１閾値を超え、しかも前記第１キャリアのＣＢＲが第２閾値以下である場合、前記第１キャリアを使用しようとするキャリアとして選択し、又は、前記第１キャリアのＣＢＲと前記第２キャリアのＣＢＲとの差値が前記第１閾値を超え、しかも前記第１キャリアのＣＢＲが第２閾値以下である場合、ＣＢＲが前記第２閾値以下であるキャリアからキャリア選択を行うことに用いられる。
【０４７４】
好ましくは、前記通信装置は更に判定ユニットを備え、前記判定ユニットは端末装置の位置が第１ゾーンから第２ゾーンまで移動した場合、第１キャリアのＣＢＲと第２キャリアのＣＢＲとの差値が第１閾値を超えるかどうかを判定することに用いられ、前記第１キャリアが現在データ伝送に使用されるキャリアであり、前記第２キャリアが前記複数のキャリアのうちの前記第１キャリア以外のいずれか１つのキャリアであり、
前記キャリア選択ユニット１２２０は、具体的に、前記第１キャリアのＣＢＲとフィルタリング後の前記第２キャリアのＣＢＲとの差値が前記第１閾値を超えていない場合、前記第１キャリアを使用しようとするキャリアとして選択し、又は、前記第１キャリアのＣＢＲと前記第２キャリアのＣＢＲとの差値が前記第１閾値を超えていない場合、前記複数のキャリアからいずれか１つのキャリアを使用しようとするキャリアとして選択し、又は、前記第１キャリアのＣＢＲと前記第２キャリアのＣＢＲとの差値が前記第１閾値を超えていない場合、前記複数のキャリアからＣＢＲが最も小さいキャリアを使用しようとするキャリアとして選択することに用いられる。
【０４７５】
好ましくは、前記通信装置は端末装置であり、前記端末装置は送受信ユニットを備え、前記取得ユニット１２１０は、具体的に、前記端末装置に予め設定された前記第１閾値を取得し、又は、前記送受信ユニットによってネットワーク装置から送信された、前記第１閾値を含む設定情報を受信することに用いられる。
【０４７６】
好ましくは、前記通信装置はネットワーク装置であり、前記ネットワーク装置は送受信ユニットを備え、前記取得ユニット１２１０は、具体的に、前記送受信ユニットによって前記第１閾値を含む設定情報を端末装置に送信することに用いられる。
【０４７７】
好ましくは、前記キャリア選択ユニット１２２０は、具体的に、前記複数のキャリアのＣＢＲに基づき、前記複数のキャリアからＣＢＲが最も小さいキャリアを使用しようとするキャリアとして選択することに用いられる。
【０４７８】
好ましくは、前記通信装置は更にフィルタリングユニットを備え、前記フィルタリングユニットは前記複数のキャリアのＣＢＲをフィルタリング処理して、フィルタリング後の前記複数のキャリアのＣＢＲを取得することに用いられ、前記キャリア選択ユニット１２２０は、具体的に、端末装置の位置が第１ゾーンから第２ゾーンまで移動した場合、フィルタリング後の前記複数のキャリアのＣＢＲに基づき、前記複数のキャリアからキャリア選択を行うことに用いられる。
【０４７９】
好ましくは、前記フィルタリングユニットは、具体的に、前記複数のキャリアのＣＢＲに対して平滑化フィルタリングを行うことに用いられる。
【０４８０】
好ましくは、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０４８１】
好ましくは、前記通信装置は更にフィルタリングユニットを備え、前記フィルタリングユニットは前記複数のキャリアのＣＢＲをフィルタリング処理して、フィルタリング後の前記複数のキャリアのＣＢＲを取得することに用いられ、
前記キャリア選択ユニットは、具体的に、前記端末装置の位置が前記第１ゾーンから前記第２ゾーンまで移動した場合、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、前記複数のキャリアからキャリア選択を行うことと、に用いられる。
【０４８２】
好ましくは、前記キャリア選択ユニット１２２０は、具体的に、フィルタリング後の前記第１キャリアのＣＢＲとフィルタリング後の前記第２キャリアのＣＢＲとの差値が前記第１閾値を超える場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４８３】
好ましくは、前記フィルタリングユニットは、具体的に、前記複数のキャリアのＣＢＲに対して平滑化フィルタリングを行うことに用いられる。
【０４８４】
好ましくは、前記平滑化フィルタリング後の前記複数のキャリアのうちの各キャリアのＣＢＲはＣＢＲ＿ｎｅｗ＝ａ×ＣＢＲ＿ｏｌｄ＋（１−ａ）×ＣＢＲ＿ｃｕｒｒｅｎｔであり、ＣＢＲ＿ｎｅｗがフィルタリング後の前記各キャリアのＣＢＲであり、ＣＢＲ＿ｃｕｒｒｅｎｔがフィルタリング前の前記各キャリアのＣＢＲであり、ＣＢＲ＿ｏｌｄが前回のキャリア選択時にフィルタリングされた前記各キャリアのＣＢＲであり、ａがフィルタリング係数であって０≦ａ≦１である。
【０４８５】
好ましくは、前記キャリア選択ユニット１２２０は、具体的に、フィルタリング後の前記第１キャリアのＣＢＲとフィルタリング後の前記第２キャリアのＣＢＲとの差値が前記第１閾値を超え、しかも所定時間長で持続するとした場合、前記複数のキャリアのＣＢＲに基づき、前記複数のキャリアからキャリア選択を行うことに用いられる。
【０４８６】
好ましくは、前記キャリア選択ユニット１２２０は、具体的に、フィルタリング後の前記第１キャリアのＣＢＲとフィルタリング後の前記第２キャリアのＣＢＲとの差値が前記第１閾値を超え、しかも所定時間長で持続するとした場合、フィルタリング後の前記複数のキャリアのＣＢＲに基づき、フィルタリング後のＣＢＲと第１キャリアのＣＢＲとの差が第１閾値を超えるキャリアから、１つのキャリアを使用しようとするキャリアとして選択することに用いられる。
【０４８７】
好ましくは、前記キャリア選択ユニット１２２０は、具体的に、フィルタリング後の前記第１キャリアのＣＢＲとフィルタリング後の前記第２キャリアのＣＢＲとの差値が前記第１閾値を超え、しかも前記第１キャリアのＣＢＲが第２閾値より大きい場合、前記複数のキャリアのＣＢＲに基づき、前記複数のキャリアからキャリア選択を行うことに用いられる。
【０４８８】
好ましくは、前記キャリア選択ユニット１２２０は、具体的に、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超え、しかもフィルタリング後の前記第１キャリアのＣＢＲが第２閾値以下である場合、フィルタリング後のＣＢＲが前記第２閾値以下であるキャリアからキャリア選択を行うことに用いられる。
【０４８９】
好ましくは、前記通信装置は更にフィルタリングユニットを備え、前記フィルタリングユニットは前記複数のキャリアのＣＢＲをフィルタリング処理して、フィルタリング後の前記複数のキャリアのＣＢＲを取得することに用いられ、
前記キャリア選択ユニット１２２０は、具体的に、前記端末装置の位置が前記第１ゾーンから前記第２ゾーンまで移動した場合、フィルタリング後の第１キャリアのＣＢＲとフィルタリング後の第２キャリアのＣＢＲとの差値が第１閾値を超えるかどうかを判定し、前記第１キャリアが現在データ伝送に使用されるキャリアであり、前記第２キャリアが前記複数のキャリアのうちの前記第１キャリア以外のいずれか１つのキャリアであることと、フィルタリング後の前記第１キャリアのＣＢＲとフィルタリング後の前記第２キャリアのＣＢＲとの差値が前記第１閾値を超えていない場合、前記第１キャリアを使用しようとするキャリアとして選択し、又は、フィルタリング後の前記第１キャリアのＣＢＲとフィルタリング後の前記第２キャリアのＣＢＲとの差値が前記第１閾値を超えていない場合、前記複数のキャリアからいずれか１つのキャリアを使用しようとするキャリアとして選択し、又は、フィルタリング後の前記第１キャリアのＣＢＲとフィルタリング後の前記第２キャリアのＣＢＲとの差値が前記第１閾値を超えていない場合、前記複数のキャリアからフィルタリング後のＣＢＲが最も小さいキャリアを使用しようとするキャリアとして選択することと、に用いられる。好ましくは、前記キャリア選択ユニット１２２０は、具体的に、フィルタリング後の前記複数のキャリアのＣＢＲに基づき、前記複数のキャリアからフィルタリング後のＣＢＲが最も小さいキャリアを使用しようとするキャリアとして選択することに用いられる。
【０４９０】
好ましくは、前記通信装置は端末装置であり、前記取得ユニット１２１０は前記複数のキャリアのＣＢＲを測定して、前記複数のキャリアのＣＢＲを取得することに用いられる。
【０４９１】
好ましくは、前記通信装置は端末装置であり、前記端末装置は送受信ユニットを備え、前記取得ユニット１２１０は、具体的に、前記送受信ユニットによってネットワーク装置から送信された、候補の前記複数のキャリアのＣＢＲが含まれるブロードキャストメッセージを受信することに用いられる。
【０４９２】
好ましくは、前記通信装置はネットワーク装置であり、前記ネットワーク装置は送受信ユニットを備え、前記取得ユニット１２１０は、具体的に、前記送受信ユニットによって端末装置から報告された前記複数のキャリアのＣＢＲを受信することに用いられる。
【０４９３】
好ましくは、前記複数のキャリアのうちの各キャリアのＣＢＲは、端末装置が前記各キャリアにおいて使用するリソースプールのＣＢＲである。
【０４９４】
好ましくは、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０４９５】
理解すべきこととして、該通信装置１２００は上記方法実施例における通信装置の実行する方法７００の対応操作を実行することができ、簡潔のため、ここで詳細な説明は省略する。
【０４９６】
図１３は本願の実施例に係る通信装置１３００のブロック図である。図１３に示すように、該通信装置１３００は取得ユニット１３１０、判定ユニット１３２０及びキャリア選択ユニット１３３０を備える。そのうち、
取得ユニット１３１０は候補の複数のキャリアのチャネル占有率（ＣＢＲ）を取得することに用いられ、
判定ユニット１３２０は第１キャリアのＣＢＲが第３閾値を超えるかどうかを判定することに用いられ、前記第１キャリアが現在データ伝送に使用されるキャリアであり、
キャリア選択ユニット１３３０は前記第１キャリアのＣＢＲが前記第３閾値を超える場合、前記複数のキャリアのＣＢＲに基づき、前記複数のキャリアからキャリア選択を行うことに用いられる。
【０４９７】
従って、現在のキャリアのＣＢＲと第３閾値とを比較して、第１キャリアのＣＢＲが第３閾値より大きい場合、キャリア選択を行い、それによりキャリアの切り替え頻度を低減し、システムの安定性を確保する。
【０４９８】
好ましくは、前記複数のキャリアが前記第１キャリアを含む。
【０４９９】
好ましくは、前記複数のキャリアが前記第１キャリアを含まない。
【０５００】
好ましくは、前記キャリア選択ユニット１３３０は、具体的に、前記複数のキャリアのＣＢＲに基づき、前記複数のキャリアからＣＢＲが最も小さいキャリアを使用しようとするキャリアとして選択することに用いられる。
【０５０１】
好ましくは、前記通信装置は端末装置であり、前記取得ユニット１３１０は、具体的に、前記複数のキャリアのＣＢＲを測定して、前記複数のキャリアのＣＢＲを取得することに用いられる。
【０５０２】
好ましくは、前記通信装置は端末装置であり、前記端末装置は送受信ユニットを備え、前記取得ユニット１３１０は、具体的に、前記送受信ユニットによってネットワーク装置から送信された、候補の前記複数のキャリアのＣＢＲが含まれるブロードキャストメッセージを受信することに用いられる。
【０５０３】
好ましくは、前記通信装置は端末装置であり、前記取得ユニット１３１０は、更に、前記端末装置に予め設定された前記第３閾値を取得し、又は、前記送受信ユニットによってネットワーク装置から送信された、前記第３閾値を含む設定情報を受信することに用いられる。
【０５０４】
好ましくは、前記通信装置はネットワーク装置であり、前記ネットワーク装置は送受信ユニットを備え、前記取得ユニット１３１０は、具体的に、前記送受信ユニットによって端末装置から報告された前記複数のキャリアのＣＢＲを受信することに用いられる。
【０５０５】
好ましくは、前記通信装置はネットワーク装置であり、前記送受信ユニットは、更に、前記第３閾値を含む設定情報を端末装置に送信することに用いられる。
【０５０６】
好ましくは、前記複数のキャリアのうちの各キャリアのＣＢＲは、端末装置が前記各キャリアにおいて使用するリソースプールのＣＢＲである。
【０５０７】
好ましくは、前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有する。
【０５０８】
理解すべきこととして、該通信装置１３００は上記方法実施例における通信装置の実行する方法８００の対応操作を実行することができ、簡潔のため、ここで詳細な説明は省略する。
【０５０９】
図１４は本願の実施例に係る通信装置１４００の構造模式図である。図１４に示すように、該通信装置はプロセッサ１４１０、送受信機１４２０及びメモリ１４３０を備え、該プロセッサ１４１０、送受信機１４２０及びメモリ１４３０は内部接続経路によって互いに通信する。該メモリ１４３０は命令を記憶することに用いられ、該送受信機１４２０が信号を受信し又は信号を送信するように制御するよう、該プロセッサ１４１０は該メモリ１４３０に記憶される命令を実行することに用いられる。
【０５１０】
好ましくは、該プロセッサ１４１０はメモリ１４３０に記憶されるプログラムコードを呼び出して、方法実施例における通信装置の実行する方法４００の対応操作を実行することができ、簡潔のため、ここで詳細な説明は省略する。
【０５１１】
好ましくは、該プロセッサ１４１０はメモリ１４３０に記憶されるプログラムコードを呼び出して、方法実施例における通信装置の実行する方法５００の対応操作を実行することができ、簡潔のため、ここで詳細な説明は省略する。
【０５１２】
好ましくは、該プロセッサ１４１０はメモリ１４３０に記憶されるプログラムコードを呼び出して、方法実施例における通信装置の実行する方法６００の対応操作を実行することができ、簡潔のため、ここで詳細な説明は省略する。
【０５１３】
好ましくは、該プロセッサ１４１０はメモリ１４３０に記憶されるプログラムコードを呼び出して、方法実施例における通信装置の実行する方法７００の対応操作を実行することができ、簡潔のため、ここで詳細な説明は省略する。
【０５１４】
好ましくは、該プロセッサ１４１０はメモリ１４３０に記憶されるプログラムコードを呼び出して、方法実施例における通信装置の実行する方法８００の対応操作を実行することができ、簡潔のため、ここで詳細な説明は省略する。
【０５１５】
理解すべきこととして、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０５１６】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）。が利用可能である。注意されるべきように、本明細書に説明されるシステム及び方法のメモリはこれらのメモリ及び任意の他の適切なタイプのメモリを含むが、それらに限らないように意図されるものである。
【０５１７】
図１５は本願の実施例のチップの構造模式図である。図１５におけるチップ１５００は入力インターフェース１５０１、出力インターフェース１５０２、少なくとも１つのプロセッサ１５０３、メモリ１５０４を備え、前記入力インターフェース１５０１、出力インターフェース１５０２、前記プロセッサ１５０３及びメモリ１５０４は内部接続経路によって互いに接続される。前記プロセッサ１５０３は前記メモリ１５０４におけるコードを実行することに用いられる。
【０５１８】
好ましくは、前記コードが実行されるとき、前記プロセッサ１５０３は方法実施例における通信装置の実行する方法４００を実現することができる。簡潔のため、ここで詳細な説明は省略する。
【０５１９】
好ましくは、前記コードが実行されるとき、前記プロセッサ１５０３は方法実施例における通信装置の実行する方法５００を実現することができる。簡潔のため、ここで詳細な説明は省略する。
【０５２０】
好ましくは、前記コードが実行されるとき、前記プロセッサ１５０３は方法実施例における通信装置の実行する方法６００を実現することができる。簡潔のため、ここで詳細な説明は省略する。
【０５２１】
好ましくは、前記コードが実行されるとき、前記プロセッサ１５０３は方法実施例における通信装置の実行する方法７００を実現することができる。簡潔のため、ここで詳細な説明は省略する。
【０５２２】
好ましくは、前記コードが実行されるとき、前記プロセッサ１５０３は方法実施例における通信装置の実行する方法８００を実現することができる。簡潔のため、ここで詳細な説明は省略する。
【０５２３】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０５２４】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０５２５】
本願に係るいくつかの実施例において、理解すべきこととして、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０５２６】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０５２７】
また、本願の各実施例では、各機能ユニットは１つの監視ユニットに統合されてもよく、各ユニットは独立して物理的に存在してもよく、２つ又は２つ以上のユニットは１つのユニットに統合されてもよい。
【０５２８】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０５２９】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【手続補正２】
【補正対象書類名】特許請求の範囲
【補正対象項目名】全文
【補正方法】変更
【補正の内容】
【特許請求の範囲】
【請求項１】
キャリア選択方法であって、
候補の複数のキャリアのチャネル占有率（ＣＢＲ）を取得することと、
リソース再選択カウンター（Ｃ＿ｒｅｓｅｌ）の値が０に等しい場合、前記複数のキャリアのＣＢＲに基づき、前記複数のキャリアからキャリア選択を行うことと、を含むことを特徴とする、前記キャリア選択方法。
【請求項２】
前記複数のキャリアのうちの各キャリアには１つの対応するＣ＿ｒｅｓｅｌが設定され、
Ｃ＿ｒｅｓｅｌの値が０に等しい場合、前記複数のキャリアのＣＢＲに基づき、前記複数のキャリアからキャリア選択を行うことは、
前記複数のキャリアに設定された複数のＣ＿ｒｅｓｅｌのうちの現在データ伝送に使用されるキャリアに対応するＣ＿ｒｅｓｅｌの値が０に等しい場合、前記複数のキャリアのＣＢＲに基づき、前記複数のキャリアからキャリア選択を行うことを含むことを特徴とする、
請求項１に記載の方法。
【請求項３】
前記方法は、更に、
Ｃ＿ｒｅｓｅｌの値が０に等しい場合、第１キャリアのＣＢＲが第３閾値を超えるかどうかを判定し、前記第１キャリアが現在データ伝送に使用されるキャリアであることを含み、
前記複数のキャリアのＣＢＲに基づき、前記複数のキャリアからキャリア選択を行うことは、
前記第１キャリアのＣＢＲが前記第３閾値を超える場合、前記複数のキャリアのＣＢＲに基づき、前記複数のキャリアからキャリア選択を行うことを含むことを特徴とする、
請求項１又は２に記載の方法。
【請求項４】
前記複数のキャリアが前記第１キャリアを含むことを特徴とする、
請求項３に記載の方法。
【請求項５】
前記複数のキャリアのＣＢＲに基づき、前記複数のキャリアからキャリア選択を行うことは、
前記複数のキャリアのＣＢＲに基づき、前記複数のキャリアからＣＢＲが最も小さいキャリアを使用しようとするキャリアとして選択することを含み、
及び／又は、
前記方法が端末装置により実行され、候補の複数のキャリアのＣＢＲを取得することは、
前記端末装置が前記複数のキャリアのＣＢＲを測定して、前記複数のキャリアのＣＢＲを取得することを含むことを特徴とする、
請求項１〜４のいずれか１項に記載の方法。
【請求項６】
前記複数のキャリアのうちの各キャリアのＣＢＲは、端末装置が前記各キャリアにおいて使用するリソースプールのＣＢＲであり、
前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有することを特徴とする、
請求項１〜５のいずれか１項に記載の方法。
【請求項７】
キャリア選択方法であって、
候補の複数のキャリアのチャネル占有率（ＣＢＲ）を取得することと、
端末装置の位置が第１ゾーンから第２ゾーンまで移動した場合、前記複数のキャリアのＣＢＲに基づき、前記複数のキャリアからキャリア選択を行うことと、を含むことを特徴とする、前記キャリア選択方法。
【請求項８】
前記複数のキャリアのＣＢＲに基づき、前記複数のキャリアからキャリア選択を行うことは、
前記複数のキャリアのＣＢＲに基づき、前記複数のキャリアからＣＢＲが最も小さいキャリアを使用しようとするキャリアとして選択することを含むことを特徴とする、
請求項７に記載の方法。
【請求項９】
端末装置の位置が第１ゾーンから第２ゾーンまで移動した場合、前記複数のキャリアのＣＢＲに基づき、前記複数のキャリアからキャリア選択を行うことは、
前記端末装置の位置が前記第１ゾーンから前記第２ゾーンまで移動した場合、第１キャリアのＣＢＲが第３閾値を超えるかどうかを判定し、前記第１キャリアが現在データ伝送に使用されるキャリアであることと、
前記第１キャリアのＣＢＲが前記第３閾値を超える場合、前記複数のキャリアのＣＢＲに基づき、前記複数のキャリアからキャリア選択を行うことと、を含み、
前記複数のキャリアが前記第１キャリアを含むことを特徴とする、
請求項７に記載の方法。
【請求項１０】
前記方法が端末装置により実行され、候補の複数のキャリアのＣＢＲを取得することは、
前記端末装置が、前記複数のキャリアのＣＢＲを測定して、前記複数のキャリアのＣＢＲを取得することを含み、 及び／又は、
前記複数のキャリアのうちの各キャリアのＣＢＲは、端末装置が前記各キャリアにおいて使用するリソースプールのＣＢＲであることを特徴とする、
請求項７〜９のいずれか１項に記載の方法。
【請求項１１】
キャリア選択方法であって、
候補の複数のキャリアのチャネル占有率（ＣＢＲ）を取得することと、
第１キャリアのＣＢＲが第３閾値を超えるかどうかを判定し、前記第１キャリアが現在データ伝送に使用されるキャリアであることと、
前記第１キャリアのＣＢＲが前記第３閾値を超える場合、前記複数のキャリアのＣＢＲに基づき、前記複数のキャリアからキャリア選択を行うことと、を含むことを特徴とする、前記キャリア選択方法。
【請求項１２】
前記複数のキャリアが前記第１キャリアを含むことを特徴とする、
請求項１１に記載の方法。
【請求項１３】
前記複数のキャリアからキャリア選択を行うことは、前記複数のキャリアのＣＢＲに基づき、前記複数のキャリアからＣＢＲが最も小さいキャリアを使用しようとするキャリアとして選択することを含み、
及び／又は、
前記方法が端末装置により実行され、候補の複数のキャリアのＣＢＲを取得することは、前記端末装置が、前記複数のキャリアのＣＢＲを測定して、前記複数のキャリアのＣＢＲを取得することを含み、 及び／又は、
前記方法は、更に、前記端末装置が前記端末装置に予め設定された前記第３閾値を取得し、又は、前記端末装置がネットワーク装置から送信された、前記第３閾値を含む設定情報を受信することを含むことを特徴とする、
請求項１１又は１２に記載の方法。
【請求項１４】
前記複数のキャリアのうちの各キャリアのＣＢＲは、端末装置が前記各キャリアにおいて使用するリソースプールのＣＢＲであることを特徴とする、
請求項１１〜１３のいずれか１項に記載の方法。
【請求項１５】
前記端末装置が前記各キャリアにおいて使用するリソースプールは、複数のリソースプールのうちの前記端末の位置するゾーンに対応するリソースプールであり、前記複数のリソースプールと複数のゾーンとが対応関係を有することを特徴とする、
請求項１４に記載の方法。